(57)【要約】  ＣＳＩ−ＲＳの歪み、及び他のＣＳＩ−ＲＳへの干渉を削減することができる無線通信装置、及び無線通信方法を提供すること。本発明の無線通信装置は、ＣＳＩ−ＲＳを生成するＣＳＩ−ＲＳ生成部と、前記ＣＳＩ−ＲＳ以外の信号が配置される複数のＯＦＤＭシンボルの間に位置し、当該複数のＯＦＤＭシンボルと隣接する一又は複数連続するＯＦＤＭシンボルに前記ＣＳＩ−ＲＳを配置する配置部と、前記配置部で配置された前記ＣＳＩ−ＲＳ以外の信号、及びＣＳＩ−ＲＳを含む送信信号を送信する送信部と、を具備する。
2011125300.tif 000002
【特許請求の範囲】
【請求項１】
ＣＳＩ−ＲＳを生成するＣＳＩ−ＲＳ生成部と、
前記ＣＳＩ−ＲＳ以外の信号が配置される複数のＯＦＤＭシンボルの間に位置し、当該複数のＯＦＤＭシンボルと隣接する一又は複数連続するＯＦＤＭシンボルに前記ＣＳＩ−ＲＳを配置する配置部と、
前記配置部で配置された前記ＣＳＩ−ＲＳ以外の信号及びＣＳＩ−ＲＳを含む送信信号を送信する送信部と、
を具備する無線通信装置。
【請求項２】
請求項１に記載の無線通信装置であって、
前記ＣＳＩ−ＲＳ以外の信号は、参照信号、データ信号、及び制御信号である、
無線通信装置。
【請求項３】
請求項１に記載の無線通信装置であって、
前記配置部は、
ＣＲＳを配置するＯＦＤＭシンボルと隣接し、前記一又は複数連続するＯＦＤＭシンボルに前記ＣＳＩ−ＲＳを配置する、
無線通信装置。
【請求項４】
請求項１に記載の無線通信装置であって、
前記配置部は、
前記ＣＳＩ−ＲＳ以外の信号を配置するＯＦＤＭシンボルと隣接する前記一又は複数連続するＯＦＤＭシンボルのうち、ＤＭＲＳ領域を除く領域に前記ＣＳＩ−ＲＳを配置する、
無線通信装置。
【請求項５】
請求項１に記載の無線通信装置であって、
前記ＣＳＩ−ＲＳ生成部は、
前記複数のＣＳＩ−ＲＳを時間方向に複製し、
前記配置部は、
前記ＣＳＩ−ＲＳ以外の信号を配置するＯＦＤＭシンボルと隣接する前記一又は複数連続するＯＦＤＭシンボルに、前記時間方向に複製された複数のＣＳＩ−ＲＳを配置する、
無線通信装置。
【請求項６】
請求項１に記載の無線通信装置であって、
更に、複数のアンテナポートに対応した複数のＣＲＳを生成するＣＲＳ生成部を備え、
前記ＣＳＩ−ＲＳ生成部は、
複数のアンテナポートに対応した複数のＣＳＩ−ＲＳを生成し、
前記配置部は、
前記複数のＣＲＳを配置するＯＦＤＭシンボルと隣接する前記一又は複数連続するＯＦＤＭシンボルに前記複数のＣＳＩ−ＲＳを配置する、
無線通信装置。
【請求項７】
請求項６に記載の無線通信装置であって、
前記ＣＳＩ−ＲＳ生成部は、
前記時間方向に拡散した複数のＣＳＩ−ＲＳに直交符号を乗算し符号多重する、
無線通信装置。
【請求項８】
請求項１に記載の無線通信装置であって、
前記ＣＳＩ−ＲＳ生成部は、
複数のアンテナポートに対応した複数のＣＳＩ−ＲＳを生成し、
前記制御信号に含まれるＰＤＣＣＨがサブフレームの先頭から２ＯＦＤＭシンボルまでに配置される場合、前記複数のアンテナポートに対応した複数のＣＳＩ−ＲＳを時間方向に複製し、
前記ＰＤＣＣＨがサブフレームの先頭から３ＯＦＤＭシンボルまでに配置される場合、前記複数のアンテナポートに対応した複数のＣＳＩ−ＲＳを時間方向に複製せずに生成し、
前記配置部は、
前記ＰＤＣＣＨを配置するＯＦＤＭシンボルと隣接する前記一又は複数連続するＯＦＤＭシンボルに前記複数のＣＳＩ−ＲＳを配置する、
無線通信装置。
【請求項９】
請求項１に記載の無線通信装置であって、
前記ＣＳＩ−ＲＳ生成部は、
複数のアンテナポートに対応した複数のＣＳＩ−ＲＳを生成し、
前記制御信号に含まれるＰＤＣＣＨがサブフレームの先頭から２ＯＦＤＭシンボルまでに配置される場合、前記複数のアンテナポートに対応した複数のＣＳＩ−ＲＳを時間方向に拡散して、直交符号を乗算して符号多重し、
前記ＰＤＣＣＨがサブフレームの先頭から３ＯＦＤＭシンボルまでに配置される場合、前記複数のアンテナポートに対応した複数のＣＳＩ−ＲＳを時間方向に拡散せずに生成し、
前記配置部は、
前記ＰＤＣＣＨを配置するＯＦＤＭシンボルと隣接する前記一又は複数連続するＯＦＤＭシンボルに前記複数のＣＳＩ−ＲＳを配置する、
無線通信装置。
【請求項１０】
請求項１から請求項９のうちのいずれか１項に記載の無線通信装置を備える基地局装置。
【請求項１１】
ＣＳＩ−ＲＳ、及び前記ＣＳＩ−ＲＳ以外の信号が配置されるＯＦＤＭシンボルと連続する一又は複数連続するＯＦＤＭシンボルに前記ＣＳＩ−ＲＳが配置されたことを示す情報であるＣＳＩ−ＲＳ配置情報を含む信号を受信する受信部と、
前記受信部で受信したＣＳＩ−ＲＳ配置情報に基づき、前記信号からＣＳＩ−ＲＳを分離する分離部と、
前記ＣＳＩ−ＲＳから、自装置と自装置と通信する他の通信装置間との間の回線の空間推定情報を生成する空間情報生成部と、具備する、
無線通信装置。
【請求項１２】
請求項１１に記載の無線通信装置を備える移動局装置。
【請求項１３】
ＣＳＩ−ＲＳを生成し、
前記ＣＳＩ−ＲＳ以外の信号が配置されるＯＦＤＭシンボルと隣接する一又は複数連続するＯＦＤＭシンボルに前記ＣＳＩ−ＲＳを配置し、
前記ＣＳＩ−ＲＳ以外の信号、及び前記配置されたＣＳＩ−ＲＳを含む送信信号を送信する、
無線通信方法。
【発明の詳細な説明】
【技術分野】
【０００１】
本発明は、無線通信装置、及び無線通信方法関し、特にＣｏＭＰの協調送信を行うための無線通信装置、及び無線通信方法に関する。
【背景技術】
【０００２】
現在ＩＴＵ−Ｒ  （Ｉｎｔｅｒｎａｔｉｏｎａｌ  Ｔｅｌｅｃｏｍｍｕｎｉｃａｔｉｏｎ  Ｕｎｉｏｎ−Ｒａｄｉｏｃｏｍｍｕｎｉｃａｔｉｏｎ  ｓｅｃｔｏｒ）ではＩＭＴ  （Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄ方式を募集している。３ＧＰＰ（３ｒｄ  Ｇｅｎｅｒａｔｉｏｎ  Ｐａｒｔｎｅｒｓｈｉｐ  Ｐｒｏｊｅｃｔ）では、Ｒｅｌ．８  ＬＴＥ  （Ｒｅｌｅａｓｅ
８  Ｌｏｎｇ  Ｔｅｒｍ  Ｅｖｏｌｕｔｉｏｎ）との後方互換性を保ちつつ、システム性能を改善するＬＴＥ−Ａｄｖａｎｃｅｄ  （ＬＴＥ−Ａ）の規格標準化が行われている。【０００３】
ＲＡＮ１では、ＬＴＥ−Ａ向けに、瞬時の干渉電力の変動に基づき多基地局間で送信電力や送信基地局を制御するセル間協調送受信  （ＣｏＭＰ：  Ｃｏｏｒｄｉｎａｔｅｄ  Ｍｕｌｔｉ−Ｐｏｉｎｔ  Ｔｒａｎｓｍｉｓｓｉｏｎ  ａｎｄ  Ｒｅｃｅｐｔｉｏｎ）が検討されている。また、ＣｏＭＰを実現するために、下り空間情報推定用のパイロット信号（ＣＳＩ−ＲＳ：  Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）が検討されている。ＣｏＭＰをサポートする送信基地局は、ＣＳＩ−ＲＳを送信することが想定されている。【０００４】
図２２にＲＡＮ１＃６０で合意されたＳｉｍｕｌａｔｉｏｎ  Ａｓｓｕｍｐｔｉｏｎである、４アンテナポートで３セルまで多重できる場合のパターン例（Ｒ１−１０１６７６）を示す。図２２の縦軸は周波数を示し、横軸は時間（Ｔｉｍｅ）を示す。なお、横軸に示すＯＦＤＭシンボル＃０〜＃１３の１４ＯＦＤＭシンボルで１サブフレームを構成する。図２２に示すパターン例では、ＣＳＩ−ＲＳはＯＦＤＭシンボル＃１０で送信される（非特許文献１参照）。【０００５】
また、図２３〜図２７に、８アンテナポートで５セルまで多重できる場合の複数のパターン例を示す。図２３〜図２７に示すパターン例は、パターン例（Ｒ１−１００４９８）を多少修正したパターン例である（非特許文献２参照）。図２３〜図２７の各図の縦軸は周波数を示し、横軸は時間（Ｔｉｍｅ）を示す。横軸に示すＯＦＤＭシンボル＃０〜＃１３の１４ＯＦＤＭシンボルで１サブフレームを構成する。なお、各ＯＦＤＭシンボルを区画する領域について、図２３〜図２７の各図に示すブロックＡ（斜線）はＣＲＳ（Cell-specific Reference Signal）を送信する可能性のあるリソース領域であり、ブロックＢ（密なドット）はＤＭＲＳ (DeModulation Reference Signal)領域であり、ブロックＣ（疎なドット）はＰＤＣＣＨ（Ｐｈｙｓｉｃａｌ  Ｄｏｗｎｌｉｎｋ  Ｃｏｎｔｒｏｌ  ＣＨａｎｎｅｌ）を送信する可能性のある領域であり、ブロックＤ（空白）は、ＣＳＩ-ＲＳを配置可能な領域を示す。また、図２３〜図２７の各図に示す配置例では４アンテナポートで３セルまで多重できる。【０００６】
図２３に示すＰａｔｔｅｒｎ  １では、アンテナポート０番から３番のＣＳＩ−ＲＳはＯＦＤＭシンボル＃４で送信され、アンテナポート４番から７番のＣＳＩ−ＲＳはＯＦＤＭシンボル＃１１で送信される。図２４に示すＰａｔｔｅｒｎ  ２では、アンテナポート０番から３番のＣＳＩ−ＲＳはＯＦＤＭシンボル＃４で送信され、アンテナポート４番から７番のＣＳＩ−ＲＳはＯＦＤＭシンボル＃１１で送信される。図２５に示すＰａｔｔｅｒｎ  ３では、アンテナポート０番から３番のＣＳＩ−ＲＳはＯＦＤＭシンボル＃４で送信され、アンテナポート４番から７番のＣＳＩ−ＲＳはＯＦＤＭシンボル＃１１で送信される。【０００７】
また、図２６に示すＰａｔｔｅｒｎ  ４では、アンテナポート０番から３番のＣＳＩ−ＲＳはＯＦＤＭシンボル＃５で送信され、アンテナポート４番から７番のＣＳＩ−ＲＳはＯＦＤＭシンボル＃１２で送信される。同様に、図２７に示すＰａｔｔｅｒｎ  ５では、アンテナポート０番から３番のＣＳＩ−ＲＳはＯＦＤＭシンボル＃５で送信され、アンテナポート４番から７番のＣＳＩ−ＲＳはＯＦＤＭシンボル＃１２で送信される。
【先行技術文献】
【非特許文献】
【０００８】
【非特許文献１】Ｒ１−１０１６７６  “CSI-RS simulation assumptions”
【非特許文献２】Ｒ１−１００４９８  “CSI-RS Inter-cell Design Aspects”
【発明の概要】
【発明が解決しようとする課題】
【０００９】
基地局は、送信する信号がない場合は、パワーアンプ（Ｐｏｗｅｒ  Ａｍｐｌｉｆｉｅｒ；  以下、ＰＡとも言う）をＯＦＦにするが、ＰＡのＯＮ／ＯＦＦに伴う立ち上がり期間と立下り期間とでは信号がひずむ。基地局は、下り回線で送信するユーザデータ、すなわちＰＤＳＣＨを送信する必要がない場合は、送信信号がない状態からＣＳＩ−ＲＳを送信することになる。この場合、送信電力の変動のためＣＳＩ−ＲＳ信号に歪が生じ、ＣＳＩ−ＲＳの受信信号品質が劣化する。また、送信電力の変動のため不要な干渉が発生し、他のＣＳＩ−ＲＳの品質が劣化する。【００１０】
図２８に、ＣＳＩ−ＲＳを送信する場合の送信電力の時間変動を示す模式図を示す。図２８に示す模式図では、ＣＲＳのみ送信しているサブフレーム（Ｓｕｂ−ｆｒａｍｅ）において、ＣＳＩ−ＲＳを送信するものとする。図２８中、ＯＦＤＭシンボル＃０、＃１、＃４、＃７、＃８、＃１１でＣＲＳが送信され、ＯＦＤＭシンボル＃１０でＣＳＩ−ＲＳが送信される。また、図２８に示す破線は、送信電力のレベルを示す。なお、図２８は、Ｒ１−１０１６７６でＳｉｍｕｌａｔｉｏｎ  Ａｓｓｕｍｐｔｉｏｎとして示されたものである。【００１１】
図２８に示すように、ＯＦＤＭシンボル＃１０の直前のＯＦＤＭシンボル＃９で送信信号がない場合、ＰＡがＯＦＦになるため、ＰＡの送信電力のレベルが低くなる。そして、ＯＦＤＭシンボル＃１０でＣＳＩ−ＲＳを送信するために、ＰＡの送信電力のレベルが立ち上がる。その結果、ＯＦＤＭシンボル＃１０の直前のＯＦＤＭシンボル＃９で大きな送信電力変動が発生する。送信電力の変動は、ＣＳＩ−ＲＳ信号を歪ませる。その結果、移動端末での受信信号品質が劣化する。また、送信電力の変動が不要な干渉が発生する原因となり、送信電力の変動が、他の基地局が送信するＣＳＩ−ＲＳに影響を与えることがある。【００１２】
しかしながら、移動端末はＣｏＭＰの協調送信を行う可能性のある全ての基地局のＣＳＩ−ＲＳを受信し、空間情報を推定する必要がある。そのため、通常のセルの範囲内だけに到達すればよい他の信号と異なり、ＣＳＩ−ＲＳは高い品質で当該基地局のセルだけでなく、周辺セルにも送信されなくてはならない。したがって、高い品質が要求されるＣＳＩ−ＲＳにおいては、ＰＡの立ち上がり、及び立ち下りによる悪影響が、自セル及び周辺セルにおける空間情報推定に対して、致命的な場合が起こりうる。【００１３】
本発明の目的は、ＣＳＩ−ＲＳの歪み、及び他のＣＳＩ−ＲＳへの干渉を削減することができる無線通信装置、及び無線通信方法を提供することである。
【課題を解決するための手段】
【００１４】
本発明は、ＣＳＩ−ＲＳを生成するＣＳＩ−ＲＳ生成部と、前記ＣＳＩ−ＲＳ以外の信号が配置される複数のＯＦＤＭシンボルの間に位置し、当該複数のＯＦＤＭシンボルと隣接する一又は複数連続するＯＦＤＭシンボルに前記ＣＳＩ−ＲＳを配置する配置部と、前記配置部で配置された前記ＣＳＩ−ＲＳ以外の信号、及びＣＳＩ−ＲＳを含む送信信号を送信する送信部と、を具備する、無線通信装置を提供する。【００１５】
上記無線通信装置では、前記ＣＳＩ−ＲＳ以外の信号は、参照信号、データ信号、及び制御信号である。【００１６】
上記無線通信装置では、前記配置部は、ＣＲＳを配置するＯＦＤＭシンボルと隣接し、前記一又は複数連続するＯＦＤＭシンボルに前記ＣＳＩ−ＲＳを配置する。【００１７】
上記無線通信装置では、前記配置部は、前記ＣＳＩ−ＲＳ以外の信号を配置するＯＦＤＭシンボルと隣接する前記一又は複数連続するＯＦＤＭシンボルのうち、ＤＭＲＳ領域を除く領域に前記ＣＳＩ−ＲＳを配置する。【００１８】
上記無線通信装置では、前記ＣＳＩ−ＲＳ生成部は、前記複数のＣＳＩ−ＲＳを時間方向に複製し、前記配置部は、前記ＣＳＩ−ＲＳ以外の信号を配置するＯＦＤＭシンボルと隣接する前記一又は複数連続するＯＦＤＭシンボルに、前記時間方向に複製された複数のＣＳＩ−ＲＳを配置する。【００１９】
上記無線通信装置では、更に、複数のアンテナポートに対応した複数のＣＲＳを生成するＣＲＳ生成部を備え、前記ＣＳＩ−ＲＳ生成部は、複数のアンテナポートに対応した複数のＣＳＩ−ＲＳを生成し、前記配置部は、前記複数のＣＲＳを配置するＯＦＤＭシンボルと隣接する前記一又は複数連続するＯＦＤＭシンボルに前記複数のＣＳＩ−ＲＳを配置する。【００２０】
上記無線通信装置では、前記ＣＳＩ−ＲＳ生成部は、前記時間方向に拡散した複数のＣＳＩ−ＲＳに直交符号を乗算し符号多重する。【００２１】
上記無線通信装置では、前記ＣＳＩ−ＲＳ生成部は、複数のアンテナポートに対応した複数のＣＳＩ−ＲＳを生成し、前記制御信号に含まれるＰＤＣＣＨがサブフレームの先頭から２ＯＦＤＭシンボルまでに配置される場合、前記複数のアンテナポートに対応した複数のＣＳＩ−ＲＳを時間方向に複製し、前記ＰＤＣＣＨがサブフレームの先頭から３ＯＦＤＭシンボルまでに配置される場合、前記複数のアンテナポートに対応した複数のＣＳＩ−ＲＳを時間方向に複製せずに生成し、前記配置部は、前記ＰＤＣＣＨを配置するＯＦＤＭシンボルと隣接する前記一又は複数連続するＯＦＤＭシンボルに前記複数のＣＳＩ−ＲＳを配置する。【００２２】
上記無線通信装置では、前記ＣＳＩ−ＲＳ生成部は、複数のアンテナポートに対応した複数のＣＳＩ−ＲＳを生成し、前記制御信号に含まれるＰＤＣＣＨがサブフレームの先頭から２ＯＦＤＭシンボルまでに配置される場合、前記複数のアンテナポートに対応した複数のＣＳＩ−ＲＳを時間方向に拡散して、直交符号を乗算して符号多重し、前記ＰＤＣＣＨがサブフレームの先頭から３ＯＦＤＭシンボルまでに配置される場合、前記複数のアンテナポートに対応した複数のＣＳＩ−ＲＳを時間方向に拡散せずに生成し、前記配置部は、前記ＰＤＣＣＨを配置するＯＦＤＭシンボルと隣接する前記一又は複数連続するＯＦＤＭシンボルに前記複数のＣＳＩ−ＲＳを配置する。【００２３】
また、本発明は、上記無線通信装置を備える基地局装置を提供する。【００２４】
また、本発明は、ＣＳＩ−ＲＳ、及び前記ＣＳＩ−ＲＳ以外の信号が配置されるＯＦＤＭシンボルと連続する一又は複数連続するＯＦＤＭシンボルに前記ＣＳＩ−ＲＳが配置されたことを示す情報であるＣＳＩ−ＲＳ配置情報を含む信号を受信する受信部と、前記受信部で受信したＣＳＩ−ＲＳ配置情報に基づき、前記信号からＣＳＩ−ＲＳを分離する分離部と、前記ＣＳＩ−ＲＳから、自装置と自装置と通信する他の通信装置間との間の回線の空間推定情報を生成する空間情報生成部と、具備する、無線通信装置を提供する。【００２５】
また、本発明は、上記無線通信装置を備える移動局装置を提供する。【００２６】
また、本発明は、ＣＳＩ−ＲＳを生成し、前記ＣＳＩ−ＲＳ以外の信号が配置されるＯＦＤＭシンボルと隣接する一又は複数連続するＯＦＤＭシンボルに前記ＣＳＩ−ＲＳを配置し、前記ＣＳＩ−ＲＳ以外の信号、及び前記配置されたＣＳＩ−ＲＳを含む送信信号を送信する、無線通信方法を提供する。
【発明の効果】
【００２７】
本発明に係る無線通信装置、及び無線通信方法によれば、ＣＳＩ−ＲＳの歪み、及び他のＣＳＩ−ＲＳへの干渉を削減することができる。
【図面の簡単な説明】
【００２８】
【図１】実施の形態１におけるＣＳＩ−ＲＳの配置例
【図２】（ａ）ＯＦＤＭシンボル＃１０で各アンテナポート用ＣＳＩ−ＲＳが送信される場合の送信電力の時間推移を示す模式図、（ｂ）図１に示すＣＳＩ−ＲＳの配置例での送信電力の時間推移を示す模式図
【図３】実施の形態１におけるＣＳＩ−ＲＳの他の配置例
【図４】基地局１００の構成を示すブロック図
【図５】移動局２００の構成を示すブロック図
【図６】アンテナポート番号０に対応するＣＳＩ−ＲＳの配置例を示す模式図（１）
【図７】アンテナポート番号１に対応するＣＳＩ−ＲＳの配置例を示す模式図（１）
【図８】アンテナポート番号２に対応するＣＳＩ−ＲＳの配置例を示す模式図（１）
【図９】アンテナポート番号３に対応するＣＳＩ−ＲＳの配置例を示す模式図（１）
【図１０】基地局３００の構成を示すブロック図
【図１１】移動局４００の構成を示すブロック図
【図１２】アンテナポート番号０に対応するＣＳＩ−ＲＳの配置例を示す模式図（２）
【図１３】アンテナポート番号１に対応するＣＳＩ−ＲＳの配置例を示す模式図（２）
【図１４】アンテナポート番号２に対応するＣＳＩ−ＲＳの配置例を示す模式図（２）
【図１５】アンテナポート番号３に対応するＣＳＩ−ＲＳの配置例を示す模式図（２）
【図１６】基地局５００の構成を示すブロック図
【図１７】移動局６００の構成を示すブロック図
【図１８】（ａ）、（ｂ）は実施の形態４におけるＣＳＩ−ＲＳの配置例を示す模式図
【図１９】（ａ）、（ｂ）は実施の形態４におけるＣＳＩ−ＲＳの他の配置例を示す模式図
【図２０】基地局７００の構成を示すブロック図
【図２１】移動局８００の構成を示すブロック図
【図２２】ＲＡＮ１＃６０で合意されたＳｉｍｕｌａｔｉｏｎ  Ａｓｓｕｍｐｔｉｏｎ
【図２３】８アンテナポートで５セルまで多重できる場合のパターン１
【図２４】８アンテナポートで５セルまで多重できる場合のパターン２
【図２５】８アンテナポートで５セルまで多重できる場合のパターン３
【図２６】８アンテナポートで５セルまで多重できる場合のパターン４
【図２７】８アンテナポートで５セルまで多重できる場合のパターン５
【図２８】ＣＳＩ−ＲＳを送信する場合の送信電力の時間変動を示す模式図
【発明を実施するための形態】
【００２９】
以下、本発明の実施の形態について、図面を参照して説明する。
【００３０】
（実施の形態１）
図１に、実施の形態１におけるＣＳＩ−ＲＳの配置例を模式的に示す図である。
【００３１】
図１の縦軸は周波数を示し、横軸は時間（Ｔｉｍｅ）を示す。横軸に示すＯＦＤＭシンボル＃０〜＃１３の１４ＯＦＤＭシンボルで１サブフレームを構成する。なお、各ＯＦＤＭシンボルを区画する領域について、図１に示すブロックＡ（斜線）はＣＲＳを送信する可能性のあるリソース領域であり、ブロックＢ（密なドット）はＤＭＲＳ領域であり、ブロックＣ（疎なドット）はＰＤＣＣＨを送信する可能性のある領域であり、ブロックＤ（空白）は、ＣＳＩ−ＲＳを配置可能な領域を示す。また、図１に示す配置例では、図２２同様、４アンテナポートで３セルまで多重できる。
【００３２】
図１に示す配置例では、各アンテナポート用ＣＳＩ−ＲＳはＯＦＤＭシンボル＃９、＃１０に配置される。アンテナポート番号１、３用のＣＳＩ−ＲＳはＯＦＤＭシンボル＃９に配置され、アンテナポート番号０、２用のＣＳＩ−ＲＳはＯＦＤＭシンボル＃１０に配置される。図１に示すように各アンテナポート用ＣＳＩ−ＲＳが配置されると、ＣＳＩ−ＲＳを送信するＯＦＤＭシンボル＃９、＃１０の前後でＣＲＳが送信される。そのため、ＣＳＩ−ＲＳを送信するＯＦＤＭシンボル＃９、＃１０の前後で送信電力の変動が抑制される。したがって、各アンテナポート用ＣＳＩ−ＲＳをＯＦＤＭシンボル＃１０だけに配置する場合に比べて、ＣＳＩ−ＲＳシンボルがＰＡのＯＮ／ＯＦＦで歪むことがなく、ＣＳＩ−ＲＳの歪や不要電波の発生による他のＣＳＩ−ＲＳへの干渉を削減できる。
なお、図１示す配置例では、破線で囲まれた領域のうち、ブロックＤの領域で、ＣｏＭＰの対象となる自装置周辺の他の基地局に送信するＣＳＩ−ＲＳを配置することができる。
【００３３】
また、図１に示すように、各アンテナポート用ＣＳＩ−ＲＳを、ＤＭＲＳ領域を除くＯＦＤＭシンボル＃５、＃６に配置しても良い。さらに、各アンテナポート用ＣＳＩ−ＲＳを、ＤＭＲＳ領域を除くＯＦＤＭシンボル＃１２、＃１３に配置しても良い。このように各アンテナポート用ＣＳＩ−ＲＳを配置することで、各アンテナポート用ＣＳＩ−ＲＳをＯＦＤＭシンボル＃１０だけに配置する場合に比べて、ＣＳＩ−ＲＳシンボルがＰＡのＯＮ／ＯＦＦで歪むことがなく、ＣＳＩ−ＲＳの歪や不要電波の発生による他のＣＳＩ−ＲＳへの干渉を削減できる。
【００３４】
次に、図２（ａ）、図２（ｂ）を参照して、図１に示す配置例での送信電力の時間推移について説明する。比較のため、図２（ａ）では、ＯＦＤＭシンボル＃１０で各アンテナポート用ＣＳＩ−ＲＳが送信される場合について、送信電力の時間推移を模式的に示す。また、図２（ｂ）に、図１に示す配置例での送信電力の時間推移を模式的に示す図である。
【００３５】
図２（ａ）、図２（ｂ）の各図では、ＣＲＳのみ送信しているサブフレーム（Ｓｕｂ−ｆｒａｍｅ）において、ＣＳＩ−ＲＳを送信するものとする。各図の横軸に示すＯＦＤＭシンボル＃０〜＃１３の１４ＯＦＤＭシンボルで１サブフレームを構成する。また、図２（ａ）、図２（ｂ）の各図に示す破線は、送信電力のレベルを示す。また、図２（ａ）、図２（ｂ）の各図では、図１同様、４アンテナポートで３セルまで多重できる。
【００３６】
図２（ａ）では、ＯＦＤＭシンボル＃０、＃１、＃４、＃７、＃８、＃１１でＣＲＳが送信され、ＯＦＤＭシンボル＃１０でＣＳＩ−ＲＳが送信される。そのため、ＣＳＩ−ＲＳが送信されるＯＦＤＭシンボル＃１０の直前のＯＦＤＭシンボル＃９で、送信電力のレベルが急激に変動することになる。
【００３７】
一方、図２（ｂ）では、ＯＦＤＭシンボル＃０、＃１、＃４、＃７、＃８、＃１１でＣＲＳが送信され、ＯＦＤＭシンボル＃９、＃１０で、図２（ａ）のＯＦＤＭシンボル＃１０の１つ分で送信されたＣＳＩ−ＲＳが、多重されて送信される。そのため、ＣＳＩ−ＲＳが送信されるＯＦＤＭシンボル＃１０の直前のＯＦＤＭシンボル＃９で、僅かな送信電力のレベルの急激な低下を抑制することができる。図２（ｂ）に示すように、４ポート分のＣＳＩ−ＲＳを送信する場合、ＯＦＤＭシンボルあたりのＣＳＩ−ＲＳのＲＥ数はＣＲＳの半分になる。そのため、ＣＳＩ−ＲＳの１ＲＥ分の送信電力とＣＲＳの１ＲＥ分の送信電力とが同じ場合、それぞれを送信するＯＦＤＭシンボル同士に３ｄＢの差が生じる。しかしながら、ＣＳＩ−ＲＳを同一ＯＦＤＭシンボルに集中させる場合（図２（ａ））に比べれば、図２（ｂ）に示す例では、送信電力のレベルの変動が急激に低下するのを抑制することができる。
【００３８】
なお、図２（ｂ）に示す場合に限らず、ＣＳＩ−ＲＳは他セルにおいても高品質で受信される必要性があることを考慮し、ＣＳＩ−ＲＳの１ＲＥ分の送信電力を３ｄＢ上げることも十分に妥当な設定と考えられる。ＣＳＩ−ＲＳを送信するＯＦＤＭシンボルの送信電力が、ＣＲＳを送信するＯＦＤＭシンボルと同じ送信電力となり、ＣＳＩ−ＲＳを送信するＯＦＤＭシンボルとＣＲＳを送信するＯＦＤＭシンボルとの間のＯＦＤＭシンボル間での送信電力のレベルの変動をなくすことができる。また、３ｄＢでなく、ＣＳＩ−ＲＳの１ＲＥ分の送信電力を必要に応じて３ｄＢ以上上げてもよく、ＣＳＩ−ＲＳの前後で必ずＣＲＳが送信されているため、電力の変動は小さく抑えることができる。
【００３９】
なお、図２（ｂ）に示す場合に限らず、ＣＳＩ−ＲＳを送信するＯＦＤＭシンボルと、それに隣接するＯＦＤＭシンボルそれぞれの総送信電力が同じになるように、各アンテナポートのＣＳＩ−ＲＳに送信信号電力を設定しても良い。また、１つのＯＦＤＭシンボルで送信されるＣＳＩ−ＲＳ全ての送信電力と、それに隣接するＯＦＤＭシンボルで送信されるＣＲＳ全ての送信電力が同じになるように、ＣＳＩ−ＲＳに送信信号電力を設定しても良い。
【００４０】
なお、ＣＳＩ−ＲＳがＯＦＤＭシンボル＃５、＃６、又はＯＦＤＭシンボル＃１２、＃１３で送信されることで、ＣＲＳを送信するＯＦＤＭシンボルとの時間的連続性を確保できる。しかし、ＯＦＤＭシンボル＃５、＃６、又はＯＦＤＭシンボル＃１２、＃１３では、ＤＭＲＳが送信される可能性がある。そのため、ＣＳＩ−ＲＳがＯＦＤＭシンボル＃５、＃６、又はＯＦＤＭシンボル＃１２、＃１３で送信される場合、ＯＦＤＭシンボル＃５、＃６、又はＯＦＤＭシンボル＃１２、＃１３での時間的電力変動を抑圧するためにＣＳＩ−ＲＳに設定する電力が小さくなる場合も想定される。したがって、ＣＳＩ−ＲＳを配置するリソースとして、他の参照信号や制御信号を送信する可能性のないＯＦＤＭシンボル＃９、＃１０を優先してＣＳＩ−ＲＳを配置しても良い。
【００４１】
ここで、図１に示す例では、偶数のアンテナポート番号のＣＳＩ−ＲＳと、奇数のアンテナポート番号のＣＳＩ−ＲＳとを、互いに異なるＯＦＤＭシンボルに多重している。つまり、図１に示す例では、偶数のアンテナポート番号０、２のＣＳＩ−ＲＳが多重されるＯＦＤＭシンボル＃１０は、奇数のアンテナポート番号１、３のＣＳＩ−ＲＳが多重されるＯＦＤＭシンボル＃９とは異なる。これは、ＣＳＩ−ＲＳはアンテナポート数２、４、８と偶数個分、設定されることが多いと考えられるからである。そのため、アンテナポート数がいずれの場合においても、必ず２ＯＦＤＭシンボルにＣＳＩ−ＲＳを配置することができる。さらには、２ＯＦＤＭシンボルの送信電力を等しくできる。したがって、送信電力の変動をなくすことができる。
【００４２】
なお、アンテナポート数は偶数の場合が多いと想定されるが、アンテナポート数が奇数の場合であっても、アンテナポートの偶数番目と奇数番目とを互いに異なるＯＦＤＭシンボルに設定すれば、送信電力の変動を抑圧・緩和することができる。
【００４３】
次に、図３を参照して、本実施の形態におけるＣＳＩ−ＲＳの他の配置例について説明する。図３は、本実施の形態におけるＣＳＩ−ＲＳの他の配置例を模式的に示す図である。
【００４４】
図３の縦軸は周波数を示し、横軸は時間（Ｔｉｍｅ）を示す。横軸に示すＯＦＤＭシンボル＃０〜＃１３の１４ＯＦＤＭシンボルで１サブフレームを構成する。なお、各ＯＦＤＭシンボルを区画する領域について、図３に示すブロックＡ（斜線）はＣＲＳを送信する可能性のあるリソース領域であり、ブロックＢ（密なドット）はＤＭＲＳ領域であり、ブロックＣ（疎なドット）はＰＤＣＣＨを送信する可能性のある領域であり、ブロックＤ（空白）は、ＣＳＩ−ＲＳを配置可能な領域を示す。また、図３に示す配置例では、図１同様、８アンテナポート分、３セルまで多重できる。
【００４５】
図３に示す配置例では、ＯＦＤＭシンボル＃０、＃１、＃４、＃７、＃８、＃１１でＣＲＳが送信され、８アンテナポート分のＯＦＤＭシンボル＃９、＃１０で、ＣＳＩ−ＲＳが多重されて送信される。特に、偶数のアンテナポート番号０、２、４、８のＣＳＩ−ＲＳが多重されるＯＦＤＭシンボル＃１０は、奇数のアンテナポート番号１、３、５、７のＣＳＩ−ＲＳが多重されるＯＦＤＭシンボル＃９とは異なる。そのため、ＯＦＤＭシンボル＃９、＃１０の２つのＯＦＤＭシンボルの送信電力を等しくできる。さらに、ＯＦＤＭシンボル＃９、＃１０の前後のＯＦＤＭシンボル＃８、＃１１ではＣＲＳが送信されているので、ＣＳＩ−ＲＳが送信されるＯＦＤＭシンボル＃９、＃１０の前後で送信電力の変動をなくすことができる。なお、図３示す配置例では、破線で囲まれた領域のうち、ブロックＤの領域で、ＣｏＭＰの対象となる自装置周辺の他の基地局に送信するＣＳＩ−ＲＳを配置することができる。
【００４６】
なお、図３に示す配置例では、ＣＳＩ−ＲＳがＯＦＤＭシンボル＃５、＃６、又はＯＦＤＭシンボル＃１２、＃１３で送信しても良い。これにより、ＣＲＳが送信されるＯＦＤＭシンボルとの時間的連続性を確保できる。しかし、ＯＦＤＭシンボル＃５、＃６、又はＯＦＤＭシンボル＃１２、＃１３では、ＤＭＲＳ（図３中、濃いグレーのブロック）が送信される可能性がある。そのため、ＣＳＩ−ＲＳがＯＦＤＭシンボル＃５、＃６、又はＯＦＤＭシンボル＃１２、＃１３で送信される場合、ＯＦＤＭシンボル＃５、＃６、又はＯＦＤＭシンボル＃１２、＃１３での時間的電力変動を抑圧するためにＣＳＩ−ＲＳに設定する電力が小さくなる場合も想定される。したがって、ＣＳＩ−ＲＳを配置するリソースとして、他の参照信号や制御信号を送信する可能性のないＯＦＤＭシンボル＃９、＃１０を優先しても良い。
【００４７】
したがって、図３に示す配置例では、送信電力の変動をなくすことができ、ＣＳＩ−ＲＳ信号を歪ませることはない。さらに、移動端末での受信信号品質が劣化することがない。また、不要な干渉が発生する原因となる送信電力の変動をなくすことができるので、送信電力の変動が、他の基地局が送信するＣＳＩ−ＲＳに影響を与えることがない。
【００４８】
なお、図１、図３に示す配置例では、各アンテナポート用ＣＳＩ−ＲＳを周波数方向に隣接させているが、周波数方向は互いに離れていても良い。その場合、同じアンテナポートのＣＲＳとなるべく離すようにしても良い。
【００４９】
次に、図４を参照して、実施の形態１に係る無線通信装置の一例として、基地局１００について説明する。図４は、基地局１００の構成を示すブロック図である。図４に示す基地局１００は、設定部１０１と、制御部１０２と、ＣＲＳ生成部１０４と、ＣＳＩ−ＲＳ生成部１０５と、変調部１０６と、配置部１０７と、ＩＦＦＴ部１０８と、ＣＰ付加部１０９と、送信ＲＦ部１１０と、アンテナ１１１とを備える。
【００５０】
設定部１０１は、例えば、ＣＲＳを生成することを設定（ｃｏｎｆｉｇｕｒｅ）する。設定部１０１は、ＣｏＭＰをサポートするためにＣＳＩ−ＲＳを送信する必要がある場合、ＣＳＩ−ＲＳの生成することを示す情報、ＣＳＩ−ＲＳの送信電力を示す情報、ＣＳＩ−ＲＳの配置情報などを含む「設定情報」を設定する。さらに、設定部１０１は、これら設定情報を制御部１０２と、ＣＲＳ生成部１０４と、ＣＳＩ−ＲＳ生成部１０５とに出力する。
【００５１】
制御部１０２は、設定部１０１から入力される設定情報に基づき、移動局２００にＣＳＩ−ＲＳの配置情報を通知するために上位レイヤの制御信号として送信するよう、配置部１０７に出力する。
【００５２】
ここで、ＣＳＩ−ＲＳの配置情報には、ＣＳＩ−ＲＳの有無を示す情報、ＣＳＩ−ＲＳがある場合はＣＳＩ−ＲＳがどのＲＥに配置されるかを示す情報、ＣＳＩ−ＲＳに拡散などの処理を施す場合はどの拡散符号を用いるかを示す情報、ＣＳＩ−ＲＳの送信電力を示す情報、などが含まれる。ＣＳＩ−ＲＳの送信電力を示す情報に従って、例えばＣＳＩ−ＲＳの送信電力を他のＲＥの信号よりも上げるパワーブースティングを行う場合、生成するＣＳＩ−ＲＳ信号の振幅が所望の送信電力になるように調整する。なお、ＣＳＩ−ＲＳの位置情報は、毎サブフレームで送信されなくてもよい。なお、上位レイヤの制御信号ではなく、下位の物理レイヤの制御信号として送信してもよい。
【００５３】
なお、ＣＳＩ−ＲＳの送信信号電力制御は、ＣＳＩ−ＲＳ生成部１０５でＣＳＩ−ＲＳを生成する際に行うが、ＣＳＩ−ＲＳ信号を送信するＯＦＤＭシンボルがＣＳＩ−ＲＳのみを送信する場合などＯＦＤＭシンボル全体に対しての電力調整が可能な場合、制御部１０２は、設定部１０１から入力される設定情報に基づき、ＣＳＩ−ＲＳを送信するＯＦＤＭ信号の送信信号電力を調整するために、送信ＲＦ部１１０に送信電力制御信号を出力しても良い。
【００５４】
ＣＲＳ生成部１０４は、設定部１０１から入力される設定情報に基づき、ＣＲＳを生成する。そして、ＣＲＳ生成部１０４は、生成したＣＲＳを配置部１０７に出力する。
【００５５】
ＣＳＩ−ＲＳ生成部１０５は、設定部１０１から入力される設定情報に基づき、ＣＳＩ−ＲＳを生成する。そして、ＣＳＩ−ＲＳ生成部１０５は、生成したＣＳＩ−ＲＳを配置部１０７に出力する。
【００５６】
変調部１０６は、入力される送信データ（下り回線データ）をチャネル符号化及び変調して、変調後のデータ信号を配置部１０７に出力する。
【００５７】
配置部１０７は、ＣＲＳ生成部１０４から入力されるＣＲＳと、ＣＳＩ−ＲＳ生成部１０５から入力されるＣＳＩ−ＲＳと、変調部１０６から入力されるデータ信号（つまり、ＰＤＳＣＨ）と、を多重する。また、配置部１０７は、制御部１０２からＣＳＩ−ＲＳの配置情報を通知するための上位レイヤの制御情報がある場合、その制御情報を、ＣＲＳ、ＣＳＩ−ＲＳ、及びデータ信号（ＰＤＳＣＨ）に多重する。
【００５８】
ここで、配置部１０７は、ＣＲＳ、ＣＳＩ−ＲＳ、及びデータ信号（ＰＤＳＣＨ）を、各リソースブロックに配置（多重）する。その際に、配置部１０７は、ＣＲＳが配置されるＯＦＤＭシンボルの前後の隣接するＯＦＤＭシンボルに、ＣＳＩ−ＲＳが配置されるよう、ＣＲＳ、ＣＳＩ−ＲＳ、及びデータ信号（ＰＤＳＣＨ）を、各リソースブロックに配置（多重）する。配置部１０７での配置は、例えば、図１、図３に示す配置例が考えられる。
【００５９】
そして、配置部１０７は、多重された信号をＩＦＦＴ（Ｉｎｖｅｒｓｅ  Ｆａｓｔ  Ｆｏｕｒｉｅｒ  Ｔｒａｎｓｆｏｒｍ）部１０８に出力する。
【００６０】
ＩＦＦＴ部１０８は、配置部１０７から入力される信号にＩＦＦＴ処理を行い、時間領域の信号を取得する。そして、ＩＦＦＴ部１０８は、時間領域の信号をＣＰ（Ｃｙｃｌｉｃ  Ｐｒｅｆｉｘ）付加部１０９に出力する。
【００６１】
ＣＰ付加部１０９は、ＩＦＦＴ部１０８から入力される時間領域の信号にＣＰを付加し、ＣＰ付加後の信号を送信ＲＦ（Ｒａｄｉｏ  Ｆｒｅｑｕｅｎｃｙ）部１１０に出力する。
【００６２】
送信ＲＦ部１１０は、ＣＰ付加部１０９から入力される信号にＤ／Ａ（Ｄｉｇｉｔａｌ  ｔｏ  Ａｎａｌｏｇ）変換、アップコンバート、増幅等の送信処理を施し、送信処理を施した信号をアンテナ１１１から移動局２００へ無線送信する。
【００６３】
実施の形態１に係る基地局１００は、常に送信されるＣＲＳを送信するＯＦＤＭシンボルと、隣接するＯＦＤＭシンボルでＣＳＩ−ＲＳを送信する。そのため、ＯＦＤＭシンボルのＯＮ／ＯＦＦの回数を減らすことができる。さらに、ＣＳＩ−ＲＳの歪や不要電波の発生による他のＣＳＩ−ＲＳへの干渉を削減することができる。
【００６４】
次に、図５を参照して、基地局１００と通信する移動局２００の構成について説明する。図５は、移動局２００の構成を示すブロック図である。図５に示す移動局２００は、アンテナ２０１と、受信ＲＦ部２０２と、ＣＰ除去部２０３と、ＦＦＴ部２０４と、分離部２０５と、ＣＲＳ受信回線推定部２０６と、ＣＳＩ−ＲＳ受信空間情報推定部２０７と、ＰＤＳＣＨ受信部２０８と、変調部２０９と、ＤＦＴ部２１０と、配置部２１１と、ＩＦＦＴ部２１２と、ＣＰ付加部２１３と、送信ＲＦ部２１４と、回線品質情報生成部２１５と、空間情報生成部２１６と、設定情報受信部２１７とを備える。
【００６５】
受信ＲＦ部２０２は、受信帯域を変更可能に構成されており、受信信号に応じて、受信帯域を変更する。そして、受信ＲＦ部２０２は、アンテナ２０１を介して受信した受信無線信号（ここでは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）信号）に対して受信無線処理（ダウンコンバート、Ａ／Ｄ（Ａｎａｌｏｇ  ｔｏ  Ｄｉｇｉｔａｌ）変換など）を施し、得られた受信信号をＣＰ除去部２０３に出力する。
【００６６】
ＣＰ除去部２０３は、受信ＲＦ部２０２から入力される受信信号からＣＰを除去し、ＣＰ除去後の信号をＦＦＴ（Ｆａｓｔ  Ｆｏｕｒｉｅｒ  Ｔｒａｎｓｆｏｒｍ）部２０４に出力する。
【００６７】
ＦＦＴ部２０４は、ＣＰ除去部２０３から入力される信号にＦＦＴ処理を行い周波数領域の信号を取得する。そして、ＦＦＴ部２０４は、周波数領域の信号を分離部２０５に出力する。
【００６８】
分離部２０５は、ＦＦＴ部２０４から入力される周波数領域の信号を、ＣＲＳ、ＣＳＩ−ＲＳ、及びデータ信号（つまり、ＰＤＳＣＨ）に分離する。そして、分離部２０５は、１つ以上前のサブフレームで受信した設定情報に基づき、ＣＲＳをＣＲＳ受信回線推定部２０６に出力し、ＣＳＩ−ＲＳをＣＳＩ−ＲＳ受信空間情報推定部２０７に出力し、ＰＤＳＣＨをＰＤＳＣＨ受信部２０８に出力する。さらに、分離部２０５は、設定情報を含む上位レイヤの制御信号を設定情報受信部２１７に出力する。
【００６９】
設定情報受信部２１７は、分離部２０５から入力される制御信号から、ＣＳＩ−ＲＳの設定情報を読み取り、分離部２０５に出力する。さらに、設定情報受信部２１７は、ＣＳＩ−ＲＳを受信復調するための逆拡散用符号などの情報をＣＳＩ−ＲＳ受信空間情報推定部２０７に出力する。
【００７０】
ＣＲＳ受信回線推定部２０６は、分離部２０５から入力されるＣＲＳから、基地局１００から自装置に送信された下り回線の推定を行い、その下り回線の回線推定値を回線品質情報生成部２１５に出力する。
【００７１】
回線品質情報生成部２１５は、ＣＲＳ受信回線推定部２０６から入力された回線推定値に基づき、基地局１００に報告するための回線品質情報を生成する。ここで生成される「回線品質情報」とは、例えば、ＣＱＩ（Ｃｈａｎｎｅｌ  Ｑｕａｌｉｔｙ  Ｉｎｄｉｃａｔｏｒ）である。
【００７２】
ＣＳＩ−ＲＳ受信空間情報推定部２０７は、設定情報受信部２１７から入力されるＣＳＩ−ＲＳの設定情報を元に、分離部２０５から入力されるＣＳＩ−ＲＳから、基地局１００から自装置に送信された下り回線の空間情報推定を行う。そして、ＣＳＩ−ＲＳ受信空間情報推定部２０７は、空間推定情報を空間情報生成部２１６に入力する。
【００７３】
空間情報生成部２１６は、入力された空間推定情報から、基地局１００に報告するための空間情報を生成する。なお、この空間情報推定は、自装置が通信を行っている基地局１００のみに対して行うのではなく、ＣｏＭＰの対象となる自装置周辺の他の基地局に対しても行う。
【００７４】
ＰＤＳＣＨ受信部２０８は、分離部２０５から入力されるＰＤＳＣＨを復調し、受信データを取得する。
【００７５】
変調部２０９は、入力される送信データ（上りデータ）をチャネル符号化及び変調して、変調後のデータ信号をＤＦＴ（Ｄｉｓｃｒｅｔｅ  Ｆｏｕｒｉｅｒ  Ｔｒａｎｓｆｏｒｍ）部２１０に出力する。
【００７６】
ＤＦＴ部２１０は、変調部２０９から入力されるデータ信号にＦＦＴ処理を行い周波数領域の信号を取得する。そして、ＤＦＴ部２１０は、周波数領域の信号を配置部２１１に出力する。
【００７７】
配置部２１１は、回線品質情報生成部２１５か入力される回線品質情報、空間情報生成部２１６から入力される空間情報、及びＤＦＴ部２１０から入力される周波数領域の信号を、上りリソースブロックに配置する。
【００７８】
ＩＦＦＴ部２１２は、配置部２１１から入力される周波数領域の信号にＩＦＦＴ処理を行い時間領域の信号を取得する。そして、ＩＦＦＴ部２１２は、時間領域の信号をＣＰ付加部２１３に出力する。
【００７９】
ＣＰ付加部２１３は、ＩＦＦＴ部２１２から入力される時間領域の信号にＣＰを付加し、ＣＰ付加後の信号を送信ＲＦ部２１４に出力する。
【００８０】
送信ＲＦ部２１４は、ＣＰ付加部２１３から入力される信号にＤ／Ａ（Ｄｉｇｉｔａｌ  ｔｏ  Ａｎａｌｏｇ）変換、アップコンバート、増幅等の送信処理を施し、送信処理を施した信号をアンテナ２０１から基地局１００へ無線送信する。
【００８１】
実施の形態１に係る移動局２００は、常に送信されるＣＲＳを送信するＯＦＤＭシンボルと連続するＯＦＤＭシンボルでＣＳＩ−ＲＳが配置された基地局１００からの送信信号からＣＳＩ−ＲＳを分離し、そのＣＳＩ−ＲＳに基づき、下り回線の空間情報推定を行う。そのため、歪のないＣＳＩ−ＲＳに基づき、基地局１００、ＣｏＭＰの対象となる周辺の基地局に報告する空間情報を生成することができる。
【００８２】
（実施の形態２）
実施の形態１では、複数のアンテナポートに対して、基地局１００を１つのＰＡとみなして、あるいは各アンテナポートはあくまでもロジカルなものであり、物理的な全てのアンテナポートを使ってロジカルな各アンテナポートの信号を生成し送信を行う場合について、送信電力の変動をなくし、ＣＳＩ−ＲＳ信号の歪を生じさせない方法を説明したが、これに限らない。そこで、実施の形態２では、複数のアンテナポートのそれぞれに対して、パワーアンプ（Ｐｏｗｅｒ  Ａｍｐｌｉｆｉｅｒ；  以下、ＰＡとも言う）として機能する基地局２００の送信電力の変動を抑制し、各アンテナポートに対応するＣＳＩ−ＲＳ信号の歪を生じさせない方法について説明する。
【００８３】
図６〜図９に、実施の形態２における各アンテナポートに対応するＣＳＩ−ＲＳの配置例を模式的に示す。図６〜図９の各図の縦軸は周波数を示し、横軸は時間（Ｔｉｍｅ）を示す。横軸に示すＯＦＤＭシンボル＃０〜＃１３の１４ＯＦＤＭシンボルで１サブフレームを構成する。なお、各ＯＦＤＭシンボルを区画する領域について、図６〜図９の各図に示すブロックＡ（斜線）はＣＲＳを送信する可能性のあるリソース領域であり、ブロックＢ（密なドット）はＤＭＲＳ領域であり、ブロックＣ（疎なドット）はＰＤＣＣＨを送信する可能性のある領域であり、ブロックＤ（空白）は、ＣＳＩ−ＲＳを配置可能な領域を示す。また、図６〜図９の各図に示す配置例では、図１同様、８アンテナポート分、３セルまで多重できる。また、図６〜図９の各図に示す配置例では、アンテナポート番号ｍ（ｍ；０〜４の自然数）のＣＲＳを配置するＯＦＤＭシンボルの領域をブロックＲｍとする。また、アンテナポート番号ｍに対応するＣＳＩ−ＲＳを配置するＯＦＤＭシンボルの領域をブロックＣｍとする。
【００８４】
図６に示すように、ブロックＲ０はＯＦＤＭシンボル＃０、＃４、＃７、＃１１に配置され、ブロックＣ０はＯＦＤＭシンボル＃１０に配置される。そのため、アンテナポート番号０に対応するＣＳＩ−ＲＳが配置されるＯＦＤＭシンボル＃１０は、アンテナポート番号０に対応するＣＲＳが配置されるＯＦＤＭシンボル＃１１に隣接している。例えば、図６においてブロックＣ０がＯＦＤＭシンボル＃９に配置される場合と比較すると、ＰＡのＯＮ／ＯＦＦの切り替え回数を減少させることができ、送信電力の変動によるＣＳＩ−ＲＳの歪を抑制することができる。なお、図６示す配置例では、破線で囲まれた領域のうち、ブロックＤの領域で、ＣｏＭＰの対象となる自装置周辺の他の基地局に送信するＣＳＩ−ＲＳを配置することができる。
【００８５】
図７に示すように、ブロックＲ１はＯＦＤＭシンボル＃０、＃４、＃７、＃１１に配置され、ブロックＣ１はＯＦＤＭシンボル＃１０に配置される。そのため、アンテナポート番号１に対応するＣＳＩ−ＲＳが配置されるＯＦＤＭシンボル＃１０は、アンテナポート番号１に対応するＣＲＳが配置されるＯＦＤＭシンボル＃１１に隣接している。例えば、図７においてブロックＣ１がＯＦＤＭシンボル＃９に配置される場合と比較すると、ＰＡのＯＮ／ＯＦＦの切り替え回数を減少させることができ、送信電力の変動によるＣＳＩ−ＲＳの歪を抑制することができる。
【００８６】
図８に示すように、ブロックＲ２はＯＦＤＭシンボル＃１、＃８に配置され、ブロックＣ２はＯＦＤＭシンボル＃９に配置される。そのため、アンテナポート番号２に対応するＣＳＩ−ＲＳが配置されるＯＦＤＭシンボル＃９は、アンテナポート番号２に対応するＣＲＳが配置されるＯＦＤＭシンボル＃８に隣接している。例えば、図８においてブロックＣ２がＯＦＤＭシンボル＃１０に配置される場合と比較すると、ＰＡのＯＮ／ＯＦＦの切り替え回数を減少させることができ、送信電力の変動によるＣＳＩ−ＲＳの歪を抑制することができる。
【００８７】
図９に示すように、ブロックＲ３はＯＦＤＭシンボル＃１、＃８に配置され、ブロックＣ３はＯＦＤＭシンボル＃９に配置される。そのため、アンテナポート番号３に対応するＣＳＩ−ＲＳが配置されるＯＦＤＭシンボル＃９は、アンテナポート番号３に対応するＣＲＳが配置されるＯＦＤＭシンボル＃８に隣接している。例えば、図９においてブロックＣ３がＯＦＤＭシンボル＃１０に配置される場合と比較すると、ＰＡのＯＮ／ＯＦＦの切り替え回数を減少させることができ、送信電力の変動によるＣＳＩ−ＲＳの歪を抑制することができる。
【００８８】
次に、図１０を参照して、実施の形態２に係る無線通信装置の一例として、基地局２００について説明する。図１０は、基地局３００の構成を示すブロック図である。図１０に示す基地局３００は、設定部３０１と、制御部３０２と、ＣＲＳ生成部１０４と、ＣＳＩ−ＲＳ生成部３０５と、変調部１０６と、配置部３０７と、ＩＦＦＴ部１０８と、ＣＰ付加部１０９と、送信ＲＦ部３１０と、アンテナ１１１とを備える。実施の形態２の基地局３００が実施の形態１の基地局１００と異なる点は、設定部１０１、制御部１０２、ＣＳＩ−ＲＳ生成部１０５、配置部１０７、及び送信ＲＦ部１１０に代わって、設定部３０１と、制御部３０２と、ＣＳＩ−ＲＳ生成部３０５と、配置部３０７と、送信ＲＦ部３１０と、を備える点である。この点以外は実施の形態１と同様であり、図１０において、図４と共通する構成要素には同じ参照符号が付されている。
【００８９】
設定部３０１は、例えば、各アンテナポートに対応するＣＲＳを生成することを設定（ｃｏｎｆｉｇｕｒｅ）する。設定部３０１は、ＣｏＭＰをサポートするためにＣＳＩ−ＲＳを送信する必要がある場合、各アンテナポートに対応するＣＳＩ−ＲＳの生成することを示す情報、各アンテナポートに対応するＣＳＩ−ＲＳの送信電力を示す情報、各アンテナポートに対応するＣＳＩ−ＲＳの配置情報などを含む「設定情報」を設定する。さらに、設定部３０１は、これら設定情報を制御部１０２と、ＣＲＳ生成部１０４と、ＣＳＩ−ＲＳ生成部１０５とに出力する。
【００９０】
制御部３０２は、設定部３０１から入力される設定情報に基づき、移動局２００に各アンテナポートに対応するＣＳＩ−ＲＳの配置情報を通知するために上位レイヤの制御信号として送信するよう、配置部３０７に出力する。
【００９１】
ここで、各アンテナポートに対応するＣＳＩ−ＲＳの配置情報には、各アンテナポートに対応するＣＳＩ−ＲＳの有無を示す情報、ＣＳＩ−ＲＳがある場合は各アンテナポートに対応するＣＳＩ−ＲＳがどのＲＥに配置されるかを示す情報、各アンテナポートに対応するＣＳＩ−ＲＳに拡散などの処理を施す場合はどの拡散符号を用いるかを示す情報、各アンテナポートに対応するＣＳＩ−ＲＳの送信電力を示す情報、などが含まれる。各アンテナポートに対応するＣＳＩ−ＲＳの送信電力を示す情報に従って、例えば、各アンテナポートに対応するＣＳＩ−ＲＳの送信電力を他のＲＥの信号よりも上げるパワーブースティングを行う場合、生成するＣＳＩ−ＲＳ信号の振幅が所望の送信電力になるように調整する。なお、各アンテナポートに対応するＣＳＩ−ＲＳの位置情報は、毎サブフレームで送信されなくてもよい。なお、上位レイヤの制御信号ではなく、下位の物理レイヤの制御信号として送信してもよい。
【００９２】
なお、各アンテナポートに対応するＣＳＩ−ＲＳの送信信号電力制御は、ＣＳＩ−ＲＳ生成部３０５で各アンテナポートに対応するＣＳＩ−ＲＳを生成する際に行うが、各アンテナポートに対応するＣＳＩ−ＲＳ信号を送信するＯＦＤＭシンボルが各アンテナポートに対応するＣＳＩ−ＲＳのみを送信する場合など、ＯＦＤＭシンボル全体に対しての電力調整が可能な場合、制御部３０２は、設定部３０１から入力される設定情報に基づき、各アンテナポートに対応するＣＳＩ−ＲＳを送信するＯＦＤＭ信号の送信信号電力を調整するために、送信ＲＦ部３１０に送信電力制御信号を出力しても良い。
【００９３】
ＣＲＳ生成部１０４は、設定部３０１から入力される設定情報に基づき、各アンテナポートに対応するＣＲＳを生成する。そして、ＣＲＳ生成部１０４は、生成した各アンテナポートに対応するＣＲＳを配置部３０７に出力する。
【００９４】
ＣＳＩ−ＲＳ生成部３０５は、設定部３０１から入力される設定情報に基づき、各アンテナポートに対応するＣＳＩ−ＲＳを生成する。そして、ＣＳＩ−ＲＳ生成部３０５は、生成した各アンテナポートに対応するＣＳＩ−ＲＳを配置部３０７に出力する。
【００９５】
変調部１０６は、入力される送信データ（下り回線データ）をチャネル符号化及び変調して、変調後のデータ信号を配置部３０７に出力する。
【００９６】
配置部３０７は、ＣＲＳ生成部１０４から入力される、各アンテナポートに対応するＣＲＳと、ＣＳＩ−ＲＳ生成部３０５から入力される、各アンテナポートに対応するＣＳＩ−ＲＳと、変調部１０６から入力されるデータ信号（つまり、ＰＤＳＣＨ）と、を多重する。また、配置部３０７は、制御部３０２から各アンテナポートに対応するＣＳＩ−ＲＳの配置情報を通知するための上位レイヤの制御情報がある場合、その制御情報を、ＣＲＳ、ＣＳＩ−ＲＳ、及びデータ信号（ＰＤＳＣＨ）に多重する。
【００９７】
ここで、配置部３０７は、各アンテナポートに対応するＣＲＳ、各アンテナポートに対応するＣＳＩ−ＲＳ、及びデータ信号（ＰＤＳＣＨ）を、各リソースブロックに配置（多重）する。その際に、配置部３０７は、各アンテナポートに対応するＣＲＳが配置されるＯＦＤＭシンボルの前後の隣接するＯＦＤＭシンボルに、各アンテナポートに対応するＣＳＩ−ＲＳが配置されるよう、各アンテナポートに対応するＣＲＳ、各アンテナポートに対応するＣＳＩ−ＲＳ、及びデータ信号（ＰＤＳＣＨ）を、各リソースブロックに配置（多重）する。配置部３０７での配置は、例えば、図６から図９に示す配置例が考えられる。
【００９８】
そして、配置部３０７は、多重された信号をＩＦＦＴ（Ｉｎｖｅｒｓｅ  Ｆａｓｔ  Ｆｏｕｒｉｅｒ  Ｔｒａｎｓｆｏｒｍ）部１０８に出力する。
【００９９】
ＩＦＦＴ部１０８は、配置部３０７から入力される信号にＩＦＦＴ処理を行い、時間領域の信号を取得する。そして、ＩＦＦＴ部１０８は、時間領域の信号をＣＰ（Ｃｙｃｌｉｃ  Ｐｒｅｆｉｘ）付加部１０９に出力する。
【０１００】
ＣＰ付加部１０９は、ＩＦＦＴ部１０８から入力される時間領域の信号にＣＰを付加し、ＣＰ付加後の信号を送信ＲＦ（Ｒａｄｉｏ  Ｆｒｅｑｕｅｎｃｙ）部１１０に出力する。
【０１０１】
送信ＲＦ部３１０は、ＣＰ付加部１０９から入力される信号にＤ／Ａ（Ｄｉｇｉｔａｌ  ｔｏ  Ａｎａｌｏｇ）変換、アップコンバート、増幅等の送信処理を施し、送信処理を施した信号をアンテナ１１１から移動局４００へ無線送信する。
【０１０２】
実施の形態２に係る基地局３００は、常に送信される各アンテナポートに対応するＣＲＳを送信するＯＦＤＭシンボルと、隣接するＯＦＤＭシンボルで、各アンテナポートに対応するＣＳＩ−ＲＳを送信する。そのため、ＯＦＤＭシンボルのＯＮ／ＯＦＦの回数を減らすことができる。さらに、各アンテナポートに対応するＣＳＩ−ＲＳの歪や不要電波の発生による他の各アンテナポートに対応するＣＳＩ−ＲＳへの干渉を削減することができる。
【０１０３】
次に、図１１を参照して、基地局３００と通信する移動局４００の構成について説明する。図１１は、移動局４００の構成を示すブロック図である。図１１に示す移動局４００は、アンテナ２０１と、受信ＲＦ部２０２と、ＣＰ除去部２０３と、ＦＦＴ部２０４と、分離部４０５と、ＣＲＳ受信回線推定部４０６と、ＣＳＩ−ＲＳ受信空間情報推定部４０７と、ＰＤＳＣＨ受信部２０８と、変調部２０９と、ＤＦＴ部２１０と、配置部４１１と、ＩＦＦＴ部２１２と、ＣＰ付加部２１３と、送信ＲＦ部２１４と、回線品質情報生成部４１５と、空間情報生成部４１６と、設定情報受信部４１７とを備える。実施の形態２の移動局４００が実施の形態１の移動局２００と異なる点は、分離部２０５、ＣＲＳ受信回線推定部２０６、ＣＳＩ−ＲＳ受信空間情報推定部２０７、配置部２１１、回線品質情報生成部２１５、空間情報生成部２１６、及び設定情報受信部２１７に代わって、分離部４０５、ＣＲＳ受信回線推定部４０６、ＣＳＩ−ＲＳ受信空間情報推定部４０７、配置部４１１、回線品質情報生成部４１５、空間情報生成部４１６、及び設定情報受信部４１７を備える点である。この点以外は実施の形態１と同様であり、図１１において、図５と共通する構成要素には同じ参照符号が付されている。
【０１０４】
受信ＲＦ部２０２は、受信帯域を変更可能に構成されており、受信信号に応じて、受信帯域を変更する。そして、受信ＲＦ部２０２は、アンテナ２０１を介して受信した受信無線信号（ここでは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）信号）に対して受信無線処理（ダウンコンバート、Ａ／Ｄ（Ａｎａｌｏｇ  ｔｏ  Ｄｉｇｉｔａｌ）変換など）を施し、得られた受信信号をＣＰ除去部２０３に出力する。
【０１０５】
ＣＰ除去部２０３は、受信ＲＦ部２０２から入力される受信信号からＣＰを除去し、ＣＰ除去後の信号をＦＦＴ（Ｆａｓｔ  Ｆｏｕｒｉｅｒ  Ｔｒａｎｓｆｏｒｍ）部２０４に出力する。
【０１０６】
ＦＦＴ部２０４は、ＣＰ除去部２０３から入力される信号にＦＦＴ処理を行い周波数領域の信号を取得する。そして、ＦＦＴ部２０４は、周波数領域の信号を分離部２０５に出力する。
【０１０７】
分離部４０５は、ＦＦＴ部２０４から入力される周波数領域の信号を、各アンテナポートに対応するＣＲＳ、各アンテナポートに対応するＣＳＩ−ＲＳ、及びデータ信号（つまり、ＰＤＳＣＨ）に分離する。そして、分離部４０５は、１つ以上前のサブフレームで受信した設定情報に基づき、各アンテナポートに対応するＣＲＳをＣＲＳ受信部４０６に出力し、各アンテナポートに対応するＣＳＩ−ＲＳをＣＳＩ−ＲＳ受信部４０７に出力し、ＰＤＳＣＨをＰＤＳＣＨ受信部２０８に出力する。さらに、分離部４０５は、設定情報を含む上位レイヤの制御信号を設定情報受信部４１７に出力する。
【０１０８】
ここで、「設定情報」とは、各アンテナポートに対応するＣＳＩ−ＲＳの生成することを示す情報、各アンテナポートに対応するＣＳＩ−ＲＳの送信電力を示す情報、各アンテナポートに対応するＣＳＩ−ＲＳの配置情報などを含む情報」である。
【０１０９】
設定情報受信部４１７は、分離部４０５から入力される制御信号から、各アンテナポートに対応するＣＳＩ−ＲＳの設定情報を読み取り、分離部４０５に出力する。さらに、設定情報受信部４１７は、各アンテナポートに対応するＣＳＩ−ＲＳを受信復調するための逆拡散用符号などの情報をＣＳＩ−ＲＳ受信空間情報推定部４０７に出力する。
【０１１０】
ＣＲＳ受信回線推定部４０６は、分離部４０５から入力される、各アンテナポートに対応するＣＲＳから、基地局３００から自装置に送信された下り回線の推定を行い、その下り回線の回線推定値を回線品質情報生成部４１５に出力する。
【０１１１】
回線品質情報生成部４１５は、ＣＲＳ受信回線推定部４０６から入力された回線推定値に基づき、基地局３００に報告するための回線品質情報を生成する。ここで生成される「回線品質情報」とは、例えば、ＣＱＩ（Ｃｈａｎｎｅｌ  Ｑｕａｌｉｔｙ  Ｉｎｄｉｃａｔｏｒ）である。
【０１１２】
ＣＳＩ−ＲＳ受信空間情報推定部４０７は、設定情報受信部４１７から入力される、各アンテナポートに対応するＣＳＩ−ＲＳの設定情報を元に、分離部４０５から入力される各アンテナポートに対応するＣＳＩ−ＲＳから、基地局３００から自装置に送信された下り回線の空間情報推定を行い、空間推定情報を空間情報生成部４１６に入力する。
【０１１３】
空間情報生成部４１６は、ＣＳＩ−ＲＳ受信空間情報推定部４０７から入力された空間推定情報から、基地局３００に報告するための空間情報を生成する。なお。空間情報推定は、自装置が通信を行っている基地局３００のみに対して行うのではなく、ＣｏＭＰの対象となる自装置周辺の他の基地局に対しても行う。
【０１１４】
ＰＤＳＣＨ受信部２０８は、分離部４０５から入力されるＰＤＳＣＨを復調し、受信データを取得する。
【０１１５】
変調部２０９は、入力される送信データ（上りデータ）をチャネル符号化及び変調して、変調後のデータ信号をＤＦＴ（Ｄｉｓｃｒｅｔｅ  Ｆｏｕｒｉｅｒ  Ｔｒａｎｓｆｏｒｍ）部２１０に出力する。
【０１１６】
ＤＦＴ部２１０は、変調部２０９から入力されるデータ信号にＦＦＴ処理を行い周波数領域の信号を取得する。そして、ＤＦＴ部２１０は、周波数領域の信号を配置部４１１に出力する。
【０１１７】
配置部４１１は、回線品質情報生成部４１５か入力される回線品質情報、空間情報生成部４１６から入力される空間情報、及びＤＦＴ部２１０から入力される周波数領域の信号を、上りリソースブロックに配置する。
【０１１８】
ＩＦＦＴ部２１２は、配置部４１１から入力される周波数領域の信号にＩＦＦＴ処理を行い時間領域の信号を取得する。そして、ＩＦＦＴ部２１２は、時間領域の信号をＣＰ付加部２１３に出力する。
【０１１９】
ＣＰ付加部２１３は、ＩＦＦＴ部２１２から入力される時間領域の信号にＣＰを付加し、ＣＰ付加後の信号を送信ＲＦ部２１４に出力する。
【０１２０】
送信ＲＦ部２１４は、ＣＰ付加部２１３から入力される信号にＤ／Ａ（Ｄｉｇｉｔａｌ  ｔｏ  Ａｎａｌｏｇ）変換、アップコンバート、増幅等の送信処理を施し、送信処理を施した信号をアンテナ２０１から基地局３００へ無線送信する。
【０１２１】
実施の形態２に係る移動局４００は、常に送信される各アンテナポートに対応するＣＲＳを送信するＯＦＤＭシンボルと連続するＯＦＤＭシンボルで各アンテナポートに対応するＣＳＩ−ＲＳが配置された基地局３００からの送信信号から、各アンテナポートに対応するＣＳＩ−ＲＳを分離し、その各アンテナポートに対応するＣＳＩ−ＲＳに基づき、下り回線の空間情報推定を行う。そのため、歪のない各アンテナポートに対応するＣＳＩ−ＲＳに基づき、基地局３００、ＣｏＭＰの対象となる周辺の基地局に報告する空間情報を生成することができる。
【０１２２】
（実施の形態３）
実施の形態３に係る基地局５００は、アンテナポートに対応したＣＳＩ−ＲＳを時間方向に拡散し、当該アンテナポートのＣＲＳを送信する複数のＯＦＤＭシンボルにはさまれるシンボルで送信する。
【０１２３】
図１２〜図１５に、実施の形態３おける、各アンテナポートに対応するＣＳＩ−ＲＳの配置例を模式的に示す。図１２〜図１５の各図の縦軸は周波数を示し、横軸は時間（Ｔｉｍｅ）を示す。横軸に示すＯＦＤＭシンボル＃０〜＃１３の１４ＯＦＤＭシンボルで１サブフレームを構成する。なお、各ＯＦＤＭシンボルを区画する領域について、図１２〜図１５の各図に示すブロックＡ（斜線）はＣＲＳを送信する可能性のあるリソース領域であり、ブロックＢ（密なドット）はＤＭＲＳ領域であり、ブロックＣ（疎なドット）はＰＤＣＣＨを送信する可能性のある領域であり、ブロックＤ（空白）は、ＣＳＩ−ＲＳを配置可能な領域を示す。また、図１２〜図１５の各図に示す配置例では、図１同様、８アンテナポート分、３セルまで多重できる。また、図１２〜図１５の各図に示す配置例では、図１同様、４アンテナポートで３セルまで多重できる。また、図１２〜図１５の各図に示す配置例では、アンテナポート番号ｍ（ｍ；０〜４の自然数）のＣＲＳを配置するＯＦＤＭシンボルの領域をブロックＲｍとする。また、アンテナポート番号ｍに対応するＣＳＩ−ＲＳを配置するＯＦＤＭシンボルの領域をブロックＣｍとする。
【０１２４】
図１２に示すように、ブロックＲ０はＯＦＤＭシンボル＃０、＃４、＃７、＃１１に配置され、ブロックＣ０は時間的に連続するＯＦＤＭシンボル＃１２、＃１３のうち、ＤＭＲＳ領域を除く領域に配置される。本実施の形態では、ＣＲＳが配置されたＯＦＤＭシンボル＃１１、及び次のサブフレームのＯＦＤＭシンボル＃０に挟まれたＯＦＤＭシンボル＃１２、＃１３に時間方向に２倍拡散したＣＳＩ−ＲＳを配置する。そのため、ＯＦＤＭシンボル＃１１から時間方向（図１２の横軸）に見ると、ＣＲＳ、ＣＳＩ−ＲＳ、ＣＲＳと連続的に送信することになる。つまり、ＣＳＩ−ＲＳの送信前後で、ＰＡのＯＮ／ＯＦＦが発生しない。したがって、基地局５００において、ＰＡのＯＮ／ＯＦＦの切り替え回数を減少させることができ、送信電力の変動によるＣＳＩ−ＲＳの歪を抑制することができる。なお、図１２示す配置例では、破線で囲まれた領域のうち、ブロックＤの領域で、ＣｏＭＰの対象となる自装置周辺の他の基地局に送信するＣＳＩ−ＲＳを配置することができる。
【０１２５】
図１３に示すように、ブロックＲ１はＯＦＤＭシンボル＃０、＃４、＃７、＃１１に配置され、ブロックＣ１は時間的に連続するＯＦＤＭシンボル＃１２、＃１３のうち、ＤＭＲＳ領域を除く領域に配置される。本実施の形態では、ＣＲＳが配置されたＯＦＤＭシンボル＃１１、及び次のサブフレームのＯＦＤＭシンボル＃０に挟まれたＯＦＤＭシンボル＃１２、＃１３に時間方向に２倍拡散したＣＳＩ−ＲＳを配置する。そのため、ＯＦＤＭシンボル＃１１から時間方向（図１３の横軸）に見ると、ＣＲＳ、ＣＳＩ−ＲＳ、ＣＲＳと連続的に送信することになる。つまり、ＣＳＩ−ＲＳの送信前後で、ＰＡのＯＮ／ＯＦＦが発生しない。したがって、基地局５００において、ＰＡのＯＮ／ＯＦＦの切り替え回数を減少させることができ、送信電力の変動によるＣＳＩ−ＲＳの歪を抑制することができる。なお、図１３示す配置例では、破線で囲まれた領域のうち、ブロックＤの領域で、ＣｏＭＰの対象となる自装置周辺の他の基地局に送信するＣＳＩ−ＲＳを配置することができる。
【０１２６】
図１４に示すように、ブロックＲ２はＯＦＤＭシンボル＃１、＃８に配置され、ブロックＣ２は時間的に連続するＯＦＤＭシンボル＃９、＃１０に配置される。本実施の形態では、ＣＲＳが配置されたＯＦＤＭシンボル＃８に連続するＯＦＤＭシンボル＃１２、＃１３に時間方向に２倍拡散したＣＳＩ−ＲＳを配置する。そのため、ＯＦＤＭシンボル＃８から時間方向（図１４の横軸）に見ると、ＣＲＳ、ＣＳＩ−ＲＳと連続的に送信することになる。つまり、ＣＳＩ−ＲＳの送信前で、ＰＡのＯＮ／ＯＦＦが発生しない。したがって、基地局５００において、ＰＡのＯＮ／ＯＦＦの切り替え回数を減少させることができ、送信電力の変動によるＣＳＩ−ＲＳの歪を抑制することができる。
【０１２７】
また、図１４に示すように、アンテナポート番号２に対応するＣＳＩ−ＲＳについて、ＣＲＳを配置するＯＦＤＭシンボルの間のＯＦＤＭシンボルで、ＣＲＳと時間的に連続させてＣＳＩ−ＲＳを送信することが困難である。しかしながら、ＣＲＳを送信するＯＦＤＭシンボル＃８に隣接するＯＦＤＭシンボル＃９と＃１０で時間方向に拡散して送信することで、信号立ち上がりの影響を排除し、信号立下りの影響も、受信時の信号電力変動の影響を受けていないＣＳＩ−ＲＳと信号立下りの影響を受けているＣＳＩ−ＲＳ逆拡散することにより軽減することができる。なお、図１４示す配置例では、破線で囲まれた領域のうち、ブロックＤの領域で、ＣｏＭＰの対象となる自装置周辺の他の基地局に送信するＣＳＩ−ＲＳを配置することができる。
【０１２８】
図１５に示すように、ブロックＲ３はＯＦＤＭシンボル＃１、＃８に配置され、ブロックＣ３は時間的に連続するＯＦＤＭシンボル＃９、＃１０に配置される。本実施の形態では、ＣＲＳが配置されたＯＦＤＭシンボル＃８に連続するＯＦＤＭシンボル＃１２、＃１３に時間方向に２倍拡散したＣＳＩ−ＲＳを配置する。そのため、ＯＦＤＭシンボル＃８から時間方向（図１４の横軸）に見ると、ＣＲＳ、ＣＳＩ−ＲＳと連続的に送信することになる。つまり、ＣＳＩ−ＲＳの送信前で、ＰＡのＯＮ／ＯＦＦが発生しない。したがって、基地局５００において、ＰＡのＯＮ／ＯＦＦの切り替え回数を減少させることができ、送信電力の変動によるＣＳＩ−ＲＳの歪を抑制することができる。
【０１２９】
また、図１５に示すように、アンテナポート番号３に対応するＣＳＩ−ＲＳについて、ＣＲＳを配置するＯＦＤＭシンボルの間のＯＦＤＭシンボルで、ＣＲＳと時間的に連続させてＣＳＩ−ＲＳを送信することが困難である。しかしながら、ＣＲＳを送信するＯＦＤＭシンボル＃８に隣接するＯＦＤＭシンボル＃９と＃１０で時間方向に拡散して送信することで、信号立ち上がりの影響を排除し、信号立下りの影響も、受信時の信号電力変動の影響を受けていないＣＳＩ−ＲＳと信号立下りの影響を受けているＣＳＩ−ＲＳ逆拡散することにより軽減することができる。なお、図１５示す配置例では、破線で囲まれた領域のうち、ブロックＤの領域で、ＣｏＭＰの対象となる自装置周辺の他の基地局に送信するＣＳＩ−ＲＳを配置することができる。
【０１３０】
なお、図１３〜図１５に示す各アンテナポートに対応するＣＳＩ−ＲＳの配置方法では、ＣＳＩ−ＲＳを時間方向に２倍拡散し、直交符号を乗算している。そのため、同じＲＥにＣＳＩ−ＲＳを２つまで多重することができる。したがって、同じセルの別のアンテナポートのＣＳＩ−ＲＳを多重しても良い。また、他のセルのＣＳＩ−ＲＳを多重しても良い。また、符号多重することで、ＣＳＩ−ＲＳを送信するリソースを、拡散する前と同じに維持することができる。
【０１３１】
次に、図１６を参照して、実施の形態３に係る基地局５００について説明する。図１６は、基地局５００の構成を示すブロック図である。図１６に示す基地局５００は、設定部５０１と、制御部１０２と、ＣＲＳ生成部１０４と、ＣＳＩ−ＲＳ生成部５０５と、変調部１０６と、配置部５０７と、ＩＦＦＴ部１０８と、ＣＰ付加部１０９と、送信ＲＦ部５１０と、アンテナ１１１とを備える。実施の形態３の基地局５００が実施の形態１の基地局１００と異なる点は、設定部１０１、ＣＳＩ−ＲＳ生成部１０５、配置部１０７、及び送信ＲＦ部１１０に代わって、設定部５０１と、制御部５０２と、ＣＳＩ−ＲＳ生成部５０５と、配置部５０７と、送信ＲＦ部５１０と、を備える点である。この点以外は実施の形態１と同様であり、図１６において、図４と共通する構成要素には同じ参照符号が付されている。
【０１３２】
設定部５０１は、例えば、各アンテナポートに対応し、時間方向に拡散するＣＲＳを生成することを設定（ｃｏｎｆｉｇｕｒｅ）する。設定部５０１は、ＣｏＭＰをサポートするために時間方向に拡散するＣＳＩ−ＲＳを送信する必要がある場合、各アンテナポートに対応し、時間方向に拡散するＣＳＩ−ＲＳの生成することを示す情報、各アンテナポートに対応し、時間方向に拡散するＣＳＩ−ＲＳの送信電力を示す情報、各アンテナポートに対応し、時間方向に拡散するＣＳＩ−ＲＳの配置情報などを含む「設定情報」を設定する。さらに、設定部５０１は、これら設定情報を制御部５０２と、ＣＲＳ生成部１０４と、ＣＳＩ−ＲＳ生成部５０５とに出力する。
【０１３３】
ここで、本実施の形態の場合、ＣＳＩ−ＲＳを時間方向に拡散するとは、ＣＳＩ−ＲＳを時間方向に単に複製する場合も含む。
【０１３４】
制御部５０２は、設定部５０１から入力される設定情報に基づき、移動局６００に各アンテナポートに対応するＣＳＩ−ＲＳの配置情報を通知するために上位レイヤの制御信号として送信するよう、配置部５０７に出力する。
【０１３５】
ここで、各アンテナポートに対応し、時間方向に拡散するＣＳＩ−ＲＳの配置情報には、各アンテナポートに対応し、時間方向に拡散するＣＳＩ−ＲＳの有無を示す情報、ＣＳＩ−ＲＳがある場合は、各アンテナポートに対応し、時間方向に拡散するＣＳＩ−ＲＳがどのＲＥに配置されるかを示す情報、各アンテナポートに対応し、時間方向に拡散するＣＳＩ−ＲＳに用いる拡散符号を示す情報、各アンテナポートに対応し、時間方向に拡散するＣＳＩ−ＲＳの送信電力を示す情報、などが含まれる。なお、各アンテナポートに対応するＣＳＩ−ＲＳの位置情報は、毎サブフレームで送信されなくてもよい。なお、上位レイヤの制御信号ではなく、下位の物理レイヤの制御信号として送信してもよい。
【０１３６】
なお、ＣＳＩ−ＲＳの送信信号電力制御は、ＣＳＩ−ＲＳ生成部５０５で、各アンテナポートに対応し、時間方向に拡散するＣＳＩ−ＲＳを生成する際に行うが、各アンテナポートに対応し、時間方向に拡散するＣＳＩ−ＲＳ信号を送信するＯＦＤＭシンボルが、各アンテナポートに対応し、時間方向に拡散するＣＳＩ−ＲＳのみを送信する場合など、ＯＦＤＭシンボル全体に対しての電力調整が可能な場合、制御部５０２は、設定部５０１から入力される設定情報に基づき、各アンテナポートに対応し、各アンテナポートに対応し、時間方向に拡散するＣＳＩ−ＲＳを送信するＯＦＤＭ信号の送信信号電力を調整するために、送信ＲＦ部５１０に送信電力制御信号を出力しても良い。
【０１３７】
ＣＲＳ生成部１０４は、設定部５０１から入力される設定情報に基づき、各アンテナポートに対応し、ＣＲＳを生成する。そして、ＣＲＳ生成部１０４は、生成した各アンテナポートに対応し、ＣＲＳを配置部５０７に出力する。
【０１３８】
ＣＳＩ−ＲＳ生成部５０５は、設定部５０１から入力される設定情報に基づき、各アンテナポートに対応し、時間方向に拡散するＣＳＩ−ＲＳを生成する。そして、ＣＳＩ−ＲＳ生成部５０５は、生成した各アンテナポートに対応し、時間方向に拡散するＣＳＩ−ＲＳを配置部５０７に出力する。
【０１３９】
変調部１０６は、入力される送信データ（下り回線データ）をチャネル符号化及び変調して、変調後のデータ信号を配置部５０７に出力する。
【０１４０】
配置部５０７は、ＣＲＳ生成部１０４から入力される、各アンテナポートに対応するＣＲＳと、ＣＳＩ−ＲＳ生成部５０５から入力される、各アンテナポートに対応し、時間方向に拡散するＣＳＩ−ＲＳと、変調部１０６から入力されるデータ信号（つまり、ＰＤＳＣＨ）と、を多重する。また、配置部５０７は、制御部５０２から各アンテナポートに対応するＣＳＩ−ＲＳの配置情報を通知するための上位レイヤの制御情報がある場合、その制御情報を、ＣＲＳ、ＣＳＩ−ＲＳ、及びデータ信号（ＰＤＳＣＨ）に多重する。
【０１４１】
ここで、配置部５０７は、各アンテナポートに対応するＣＲＳ、各アンテナポートに対応するＣＳＩ−ＲＳ、及びデータ信号（ＰＤＳＣＨ）を、各リソースブロックに配置（多重）する。その際に、配置部５０７は、各アンテナポートに対応するＣＲＳが配置されるＯＦＤＭシンボルの前後の隣接するＯＦＤＭシンボルに、各アンテナポートに対応するＣＳＩ−ＲＳが配置されるよう、各アンテナポートに対応するＣＲＳ、各アンテナポートに対応するＣＳＩ−ＲＳ、及びデータ信号（ＰＤＳＣＨ）を、各リソースブロックに配置（多重）する。配置部５０７での配置は、例えば、図１２から図１５に示す配置例が考えられる。
【０１４２】
そして、配置部５０７は、多重された信号をＩＦＦＴ（Ｉｎｖｅｒｓｅ  Ｆａｓｔ  Ｆｏｕｒｉｅｒ  Ｔｒａｎｓｆｏｒｍ）部１０８に出力する。
【０１４３】
ＩＦＦＴ部１０８は、配置部５０７から入力される信号にＩＦＦＴ処理を行い、時間領域の信号を取得する。そして、ＩＦＦＴ部１０８は、時間領域の信号をＣＰ（Ｃｙｃｌｉｃ  Ｐｒｅｆｉｘ）付加部１０９に出力する。
【０１４４】
ＣＰ付加部１０９は、ＩＦＦＴ部１０８から入力される時間領域の信号にＣＰを付加し、ＣＰ付加後の信号を送信ＲＦ（Ｒａｄｉｏ  Ｆｒｅｑｕｅｎｃｙ）部５１０に出力する。
【０１４５】
送信ＲＦ部５１０は、ＣＰ付加部１０９から入力される信号にＤ／Ａ（Ｄｉｇｉｔａｌ  ｔｏ  Ａｎａｌｏｇ）変換、アップコンバート、増幅等の送信処理を施し、送信処理を施した信号をアンテナ１１１から移動局６００へ無線送信する。
【０１４６】
実施の形態３に係る基地局５００は、常に送信される各アンテナポートに対応し、時間方向に拡散するＣＲＳを送信するＯＦＤＭシンボルと、隣接するＯＦＤＭシンボルで、各アンテナポートに対応し、時間方向に拡散するＣＳＩ−ＲＳを送信する。そのため、ＯＦＤＭシンボルのＯＮ／ＯＦＦの回数を減らすことができる。さらに、各アンテナポートに対応し、時間方向に拡散するＣＳＩ−ＲＳの歪や不要電波の発生による他の各アンテナポートに対応し、時間方向に拡散するＣＳＩ−ＲＳへの干渉を削減することができる。
【０１４７】
次に、図１７を参照して、基地局５００と通信する移動局６００の構成について説明する。図１７は、移動局６００の構成を示すブロック図である。図１７に示す移動局６００は、アンテナ２０１と、受信ＲＦ部２０２と、ＣＰ除去部２０３と、ＦＦＴ部２０４と、分離部６０５と、ＣＲＳ受信回線推定部６０６と、ＣＳＩ−ＲＳ受信空間情報推定部６０７と、ＰＤＳＣＨ受信部２０８と、変調部２０９と、ＤＦＴ部２１０と、配置部６１１と、ＩＦＦＴ部２１２と、ＣＰ付加部２１３と、送信ＲＦ部２１４と、回線品質情報生成部６１５と、空間情報生成部６１６と、設定情報受信部６１７とを備える。
【０１４８】
受信ＲＦ部２０２は、受信帯域を変更可能に構成されており、受信信号に応じて、受信帯域を変更する。そして、受信ＲＦ部２０２は、アンテナ２０１を介して受信した受信無線信号（ここでは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）信号）に対して受信無線処理（ダウンコンバート、Ａ／Ｄ（Ａｎａｌｏｇ  ｔｏ  Ｄｉｇｉｔａｌ）変換など）を施し、得られた受信信号をＣＰ除去部２０３に出力する。
【０１４９】
ＣＰ除去部２０３は、受信ＲＦ部２０２から入力される受信信号からＣＰを除去し、ＣＰ除去後の信号をＦＦＴ（Ｆａｓｔ  Ｆｏｕｒｉｅｒ  Ｔｒａｎｓｆｏｒｍ）部２０４に出力する。
【０１５０】
ＦＦＴ部２０４は、ＣＰ除去部２０３から入力される信号にＦＦＴ処理を行い周波数領域の信号を取得する。そして、ＦＦＴ部２０４は、周波数領域の信号を分離部６０５に出力する。
【０１５１】
分離部６０５は、ＦＦＴ部２０４から入力される周波数領域の信号を、各アンテナポートに対応するＣＲＳ、各アンテナポートに対応し、時間方向に拡散するＣＳＩ−ＲＳ、及びデータ信号（つまり、ＰＤＳＣＨ）に分離する。そして、分離部６０５は、１つ以上前のサブフレームで受信した設定情報に基づき、各アンテナポートに対応するＣＲＳをＣＲＳ受信部６０６に出力し、各アンテナポートに対応し、時間方向に拡散するＣＳＩ−ＲＳをＣＳＩ−ＲＳ受信部６０７に出力し、ＰＤＳＣＨをＰＤＳＣＨ受信部２０８に出力する。さらに、分離部６０５は、設定情報を含む上位レイヤの制御信号を設定情報受信部６１７に出力する。
【０１５２】
ここで、「設定情報」とは、各アンテナポートに対応し、時間方向に拡散するＣＳＩ−ＲＳの生成することを示す情報、各アンテナポートに対応し、時間方向に拡散するＣＳＩ−ＲＳの送信電力を示す情報、各アンテナポートに対応し、時間方向に拡散するＣＳＩ−ＲＳの配置情報などを含む情報」である。
【０１５３】
設定情報受信部６１７は、分離部６０５から入力される制御信号から、各アンテナポートに対応し、時間方向に拡散するＣＳＩ−ＲＳの設定情報を読み取り、分離部６０５に出力する。さらに、設定情報受信部６１７は、各アンテナポートに対応し、時間方向に拡散するＣＳＩ−ＲＳを受信復調するための逆拡散用符号などの情報をＣＳＩ−ＲＳ受信空間情報推定部６０７に出力する。
【０１５４】
ＣＲＳ受信回線推定部６０６は、分離部６０５から入力される、各アンテナポートに対応するＣＲＳから、基地局５００から自装置に送信された下り回線の推定を行い、その下り回線の回線推定値を回線品質情報生成部６１５に出力する。
【０１５５】
回線品質情報生成部６１５は、ＣＲＳ受信回線推定部６０６から入力された回線推定値に基づき、基地局５００に報告するための回線品質情報を生成する。ここで生成される「回線品質情報」とは、例えば、ＣＱＩ  （Ｃｈａｎｎｅｌ  Ｑｕａｌｉｔｙ  Ｉｎｄｉｃａｔｏｒ）である。
【０１５６】
ＣＳＩ−ＲＳ受信空間情報推定部６０７は、設定情報受信部６１７から入力される、各アンテナポートに対応し、時間方向に拡散するＣＳＩ−ＲＳの設定情報を元に、分離部６０５から入力される各アンテナポートに対応し、時間方向に拡散するＣＳＩ−ＲＳから、基地局５００から自装置に送信された下り回線の空間情報推定を行い、空間推定情報を空間情報生成部６１６に入力する。
【０１５７】
空間情報生成部６１６は、ＣＳＩ−ＲＳ受信空間情報推定部６０７から入力された空間推定情報から、基地局５００に報告するための空間情報を生成する。なお。空間情報推定は、自装置が通信を行っている基地局５００のみに対して行うのではなく、ＣｏＭＰの対象となる自装置周辺の他の基地局に対しても行う。
【０１５８】
ＰＤＳＣＨ受信部２０８は、分離部６０５から入力されるＰＤＳＣＨを復調し、受信データを取得する。
【０１５９】
変調部２０９は、入力される送信データ（上りデータ）をチャネル符号化及び変調して、変調後のデータ信号をＤＦＴ（Ｄｉｓｃｒｅｔｅ  Ｆｏｕｒｉｅｒ  Ｔｒａｎｓｆｏｒｍ）部２１０に出力する。
【０１６０】
ＤＦＴ部２１０は、変調部２０９から入力されるデータ信号にＦＦＴ処理を行い周波数領域の信号を取得する。そして、ＤＦＴ部２１０は、周波数領域の信号を配置部６１１に出力する。
【０１６１】
配置部６１１は、回線品質情報生成部６１５か入力される回線品質情報、空間情報生成部６１６から入力される空間情報、及びＤＦＴ部２１０から入力される周波数領域の信号を、上りリソースブロックに配置する。
【０１６２】
ＩＦＦＴ部２１２は、配置部６１１から入力される周波数領域の信号にＩＦＦＴ処理を行い時間領域の信号を取得する。そして、ＩＦＦＴ部２１２は、時間領域の信号をＣＰ付加部２１３に出力する。
【０１６３】
ＣＰ付加部２１３は、ＩＦＦＴ部２１２から入力される時間領域の信号にＣＰを付加し、ＣＰ付加後の信号を送信ＲＦ部２１４に出力する。
【０１６４】
送信ＲＦ部２１４は、ＣＰ付加部２１３から入力される信号にＤ／Ａ（Ｄｉｇｉｔａｌ  ｔｏ  Ａｎａｌｏｇ）変換、アップコンバート、増幅等の送信処理を施し、送信処理を施した信号をアンテナ２０１から基地局５００へ無線送信する。
【０１６５】
実施の形態３に係る移動局６００は、常に送信される各アンテナポートに対応するＣＲＳを送信するＯＦＤＭシンボルと連続するＯＦＤＭシンボルで各アンテナポートに対応し、時間方向に拡散するＣＳＩ−ＲＳが配置された基地局５００からの送信信号から、各アンテナポートに対応し、時間方向に拡散するＣＳＩ−ＲＳを分離し、その各アンテナポートに対応し、時間方向に拡散するＣＳＩ−ＲＳに基づき、下り回線の空間情報推定を行う。そのため、歪のない各アンテナポートに対応し、時間方向に拡散するＣＳＩ−ＲＳに基づき、基地局５００、及びＣｏＭＰの対象となる周辺の基地局に報告する空間情報を生成することができる。また、逆拡散により信号電力変動の影響を軽減することができる。
【０１６６】
本実施の形態によれば、各アンテナポートの参照信号を別々のアンテナ、別々のアンプで送る場合でも、各アンテナポートに対応するＣＳＩ−ＲＳを時間方向に複製し、各アンテナポートのＣＲＳが配置されるＯＦＤＭシンボルの間又は各アンテナポートのＣＲＳが配置されるＯＦＤＭシンボルに連続するＯＦＤＭシンボルに配置することで、各アンプのＯＮ／ＯＦＦの回数を減少させることができる。
【０１６７】
また、本実施の形態によれば、ＣＳＩ−ＲＳを拡散し直交符号を乗算することで、複数のＣＳＩ−ＲＳを符号多重することができる。したがって、ＣＳＩ−ＲＳに必要なリソースを拡散前と同じに維持できる。また、拡散後のＣＳＩ−ＲＳの全てをＣＲＳと隣接するＯＦＤＭシンボルに配置できない場合でも、逆拡散により信号電力変動の影響を軽減することができる。
【０１６８】
（実施の形態４）
実施の形態４に係る基地局７００では、ＰＤＣＣＨ（Ｐｈｙｓｉｃａｌ  Ｄｏｗｎｌｉｎｋ  Ｃｏｎｔｒｏｌ  ＣＨａｎｎｅｌ）のＯＦＤＭシンボルがサブフレーム先頭２シンボルまでの場合、各アンテナポートのＣＳＩ−ＲＳを時間方向に拡散して多重し、ＰＤＣＣＨがサブフレーム先頭の３シンボルまで使用する場合、各アンテナポートのＣＳＩ−ＲＳを時間方向に拡散せずに多重する。ＣＳＩ−ＲＳを時間方向に拡散するかしないかについては、明示的（ｅｘｐｌｉｃｉｔ）には移動局８００へ通知せず、ＰＣＦＩＣＨによって暗黙的（ｉｍｐｌｉｃｉｔ）移動局８００に通知する。
【０１６９】
図１８（ａ）、図１８（ｂ）に実施の形態４に係る無線送信装置（基地局）７００における、ＣＳＩ−ＲＳの配置例１、２を模式的に示す。図１８（ａ）、図１８（ｂ）の縦軸は周波数を示し、横軸は時間（Ｔｉｍｅ）を示す。横軸に示すＯＦＤＭシンボル＃０〜＃１３の１４ＯＦＤＭシンボルで１サブフレームを構成する。なお、各ＯＦＤＭシンボルを区画する領域について、図１８（ａ）、図１８（ｂ）に示すブロックＡ（斜線）はＣＲＳを送信する可能性のあるリソース領域であり、ブロックＢ（密なドット）はＤＭＲＳ領域であり、ブロックＣ（疎なドット）はＰＤＣＣＨを送信する可能性のある領域であり、ブロックＤ（空白）は、ＣＳＩ−ＲＳを配置可能な領域を示す。また、図１８（ａ）、図１８（ｂ）に示す配置例では、図１同様、８アンテナポート分、３セルまで多重できる。また、図１８（ａ）、図１８（ｂ）の各図に示す配置例では、アンテナポート番号ｍ（ｍ；０〜４の自然数）に対応するＣＳＩ−ＲＳを配置するＯＦＤＭシンボルの領域をブロックＣｍとする。
【０１７０】
図１８（ａ）、図１８（ｂ）では、ＰＤＣＣＨのシンボル数に合わせて、各アンテナポートに対応するＣＳＩ−ＲＳを時間方向に複製する。図１８（ａ）に示すように、ＰＤＣＣＨがサブフレームの先頭１シンボル又は先頭から２シンボルで配置される場合、各アンテナポートのＣＳＩ−ＲＳを時間方向に２倍拡散して、ＯＦＤＭシンボル＃２、＃３に配置する。また、図１８（ｂ）に示すように、ＰＤＣＣＨがサブフレームの先頭３シンボルまでに配置される場合、ＣＳＩ−ＲＳは時間方向に拡散を行わず、ＯＦＤＭシンボル＃３のみに配置する。時間方向に拡散するかしないかは、ＰＤＣＣＨの使用するＯＦＤＭシンボル数に対応する。そのため、ＣＳＩ−ＲＳのためだけに明示的（ｅｘｐｌｉｃｉｔ）には移動局８００に通知せず、ＰＤＣＣＨの使用するＯＦＤＭシンボル数を通知するＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）により代用することで、暗黙的（ｉｍｐｌｉｃｉｔ）に移動局８００に通知する。なお、時間方向に複製したＣＳＩ−ＲＳに直交符号を乗算し、符号多重してもよい。なお、図１８（ａ）、図１８（ｂ）に示す配置例では、破線で囲まれた領域のうち、ブロックＤの領域で、ＣｏＭＰの対象となる自装置周辺の他の基地局に送信するＣＳＩ−ＲＳを配置することができる。
【０１７１】
ここで、図１９（ａ）、図１９（ｂ）に示すように、ＰＤＣＣＨがサブフレームの先頭１シンボルまたは２シンボルの場合、ＣＳＩ−ＲＳの一部をＯＦＤＭシンボル＃２で送信するようにしても良い。図１９（ａ）、図１９（ｂ）に実施の形態４に係る無線送信装置（基地局）７００における、各アンテナポートに対応するＣＳＩ−ＲＳの他の配置例を模式的に示す。図１９（ａ）、図１９（ｂ）では、ＰＤＣＣＨのシンボル数に合わせて、各アンテナポートに対応するＣＳＩ−ＲＳを時間方向に複製する。
【０１７２】
図１９（ａ）、図１９（ｂ）の縦軸は周波数を示し、横軸は時間（Ｔｉｍｅ）を示す。横軸に示すＯＦＤＭシンボル＃０〜＃１３の１４ＯＦＤＭシンボルで１サブフレームを構成する。なお、各ＯＦＤＭシンボルを区画する領域について、図１９（ａ）、図１９（ｂ）に示すブロックＡ（斜線）はＣＲＳを送信する可能性のあるリソース領域であり、ブロックＢ（密なドット）はＤＭＲＳ領域であり、ブロックＣ（疎なドット）はＰＤＣＣＨを送信する可能性のある領域であり、ブロックＤ（空白）は、ＣＳＩ−ＲＳを配置可能な領域を示す。また図１９（ａ）、図１９（ｂ）に示す配置例では、図１同様、８アンテナポート分、３セルまで多重できる。また、図１９（ａ）、図１９（ｂ）の各図に示す配置例では、アンテナポート番号ｍ（ｍ；０〜４の自然数）に対応するＣＳＩ−ＲＳを配置するＯＦＤＭシンボルの領域をブロックＣｍとする。
【０１７３】
図１９（ａ）に示すように、ＰＤＣＣＨがサブフレームの先頭１シンボル又は先頭から２シンボルで配置される場合、ブロックＣ１、Ｃ３はＯＦＤＭシンボル＃２に配置され、ブロックＣ０、Ｃ２はＯＦＤＭシンボル＃３に配置される。つまり、ＰＤＣＣＨがサブフレームの先頭１シンボル又は先頭から２シンボルで配置される場合、各アンテナポートのＣＳＩ−ＲＳをＯＦＤＭシンボル＃２、＃３に配置する。４アンテナポートのため、奇数番号のアンテナポートに対応するＣＳＩ−ＲＳをＯＦＤＭシンボル＃２に配置し、偶数番号のアンテナポートに対応するＣＳＩ−ＲＳをＯＦＤＭシンボル＃３に配置する。なお、図１９（ａ）に示す配置例では、破線で囲まれた領域のうち、ブロックＤの領域で、ＣｏＭＰの対象となる自装置周辺の他の基地局に送信するＣＳＩ−ＲＳを配置することができる。また、図１９（ｂ）に示すように、ＰＤＣＣＨがサブフレームの先頭３シンボルまでに配置される場合、ブロックＣ０、Ｃ１、Ｃ２、Ｃ４はＯＦＤＭシンボル＃３に配置される。
【０１７４】
次に、図２０を参照して、実施の形態４に係る無線通信装置の一例として、基地局７００について説明する。図２０は、基地局７００の構成を示すブロック図である。図２０に示す基地局７００は、設定部７０１と、制御部１０２と、ＣＲＳ生成部１０４と、ＣＳＩ−ＲＳ生成部７０５と、変調部１０６と、配置部７０７と、ＩＦＦＴ部１０８と、ＣＰ付加部１０９と、送信ＲＦ部７１０と、アンテナ１１１とを備える。実施の形態４の基地局７００が実施の形態１の基地局１００と異なる点は、設定部１０１、ＣＳＩ−ＲＳ生成部１０５、配置部１０７、及び送信ＲＦ部１１０に代わって、設定部７０１と、ＣＳＩ−ＲＳ生成部７０５、配置部７０７と、送信ＲＦ部７１０と、を備える点である。この点以外は実施の形態１と同様であり、図２０において、図４と共通する構成要素には同じ参照符号が付されている。
【０１７５】
設定部７０１は、例えば、各アンテナポートに対応するＣＲＳを生成することを設定（ｃｏｎｆｉｇｕｒｅ）する。設定部７０１は、ＣｏＭＰをサポートするためにＣＳＩ−ＲＳを送信する必要がある場合、各アンテナポートに対応するＣＳＩ−ＲＳの生成することを示す情報、各アンテナポートに対応するＣＳＩ−ＲＳの送信電力を示す情報、各アンテナポートに対応するＣＳＩ−ＲＳの配置情報などを含む「設定情報」を設定する。さらに、設定部７０１は、これら設定情報を制御部７０２と、ＣＲＳ生成部１０４と、ＣＳＩ−ＲＳ生成部７０５とに出力する。
【０１７６】
制御部７０２は、設定部７０１から入力される設定情報に基づき、移動局８００に各アンテナポートに対応するＣＳＩ−ＲＳの配置情報を通知するために上位レイヤの制御信号として送信するよう、配置部７０７に出力する。
【０１７７】
ここで、各アンテナポートに対応するＣＳＩ−ＲＳの配置情報には、各アンテナポートに対応するＣＳＩ−ＲＳの有無を示す情報、ＣＳＩ−ＲＳがある場合は各アンテナポートに対応するＣＳＩ−ＲＳがどのＲＥに配置されるかを示す情報、各アンテナポートに対応するＣＳＩ−ＲＳの送信電力を示す情報、などが含まれる。各アンテナポートに対応するＣＳＩ−ＲＳの送信電力を示す情報に従って、例えば各アンテナポートに対応するＣＳＩ−ＲＳの送信電力を他のＲＥの信号よりも上げるパワーブースティングを行う場合、生成するＣＳＩ−ＲＳ信号の振幅が所望の送信電力になるように調整する。なお、ＣＳＩ−ＲＳの位置情報は、毎サブフレームで送信されなくてもよい。なお、上位レイヤの制御信号ではなく、下位の物理レイヤの制御信号として送信してもよい。
【０１７８】
本実施の形態の場合、各アンテナポートに対応するＣＳＩ−ＲＳの配置情報には、各アンテナポートに対応するＣＳＩ−ＲＳに拡散などの処理を施す場合はどの拡散符号を用いるかを示す情報は含まない。しかし、上述したように、ＣＳＩ−ＲＳを時間方向に拡散するかしないかについては、明示的（ｅｘｐｌｉｃｉｔ）には移動局８００へ通知せず、ＰＣＦＩＣＨによって暗黙的（ｉｍｐｌｉｃｉｔ）移動局８００に通知することができる。
【０１７９】
なお、ＣＳＩ−ＲＳの送信信号電力制御は、ＣＳＩ−ＲＳ生成部７０５で各アンテナポートに対応するＣＳＩ−ＲＳを生成する際に行うが、各アンテナポートに対応するＣＳＩ−ＲＳ信号を送信するＯＦＤＭシンボルが、各アンテナポートに対応するＣＳＩ−ＲＳのみを送信する場合など、ＯＦＤＭシンボル全体に対しての電力調整が可能な場合、制御部１０２は、設定部７０１から入力される設定情報に基づき、各アンテナポートに対応するＣＳＩ−ＲＳを送信するＯＦＤＭ信号の送信信号電力を調整するために、送信ＲＦ部７１０に送信電力制御信号を出力しても良い。
【０１８０】
ＣＲＳ生成部１０４は、設定部７０１から入力される設定情報に基づき、各アンテナポートに対応するＣＲＳを生成する。そして、ＣＲＳ生成部１０４は、生成した各アンテナポートに対応するＣＲＳを配置部７０７に出力する。
【０１８１】
ＣＳＩ−ＲＳ生成部７０５は、設定部７０１から入力される設定情報に基づき、各アンテナポートに対応するＣＳＩ−ＲＳを生成する。そして、ＣＳＩ−ＲＳ生成部７０５は、生成した各アンテナポートに対応するＣＳＩ−ＲＳを配置部７０７に出力する。
【０１８２】
変調部１０６は、入力される送信データ（下り回線データ）をチャネル符号化及び変調して、変調後のデータ信号を配置部７０７に出力する。
【０１８３】
配置部７０７は、ＣＲＳ生成部１０４から入力される、各アンテナポートに対応するＣＲＳと、ＣＳＩ−ＲＳ生成部１０５から入力される、各アンテナポートに対応するＣＳＩ−ＲＳと、変調部１０６から入力されるデータ信号（つまり、ＰＤＳＣＨ）と、を多重する。また、配置部７０７は、制御部１０２から各アンテナポートに対応するＣＳＩ−ＲＳの配置情報を通知するための上位レイヤの制御情報がある場合、その制御情報を、ＣＲＳ、ＣＳＩ−ＲＳ、及びデータ信号（ＰＤＳＣＨ）に多重する。
【０１８４】
ここで、配置部７０７は、各アンテナポートに対応するＣＲＳ、各アンテナポートに対応するＣＳＩ−ＲＳ、及びデータ信号（ＰＤＳＣＨ）を、各リソースブロックに配置（多重）する。その際に、配置部７０７は、各アンテナポートに対応するＣＲＳが配置されるＯＦＤＭシンボルの前後の隣接するＯＦＤＭシンボルに、各アンテナポートに対応するＣＳＩ−ＲＳが配置されるよう、各アンテナポートに対応するＣＲＳ、各アンテナポートに対応するＣＳＩ−ＲＳ、及びデータ信号（ＰＤＳＣＨ）を、各リソースブロックに配置（多重）する。配置部７０７での配置は、例えば、図１８（ａ）、（ｂ）、図１９（ａ）、（ｂ）に示す配置例が考えられる。
【０１８５】
そして、配置部７０７は、多重された信号をＩＦＦＴ（Ｉｎｖｅｒｓｅ  Ｆａｓｔ  Ｆｏｕｒｉｅｒ  Ｔｒａｎｓｆｏｒｍ）部１０８に出力する。
【０１８６】
ＩＦＦＴ部１０８は、配置部７０７から入力される信号にＩＦＦＴ処理を行い、時間領域の信号を取得する。そして、ＩＦＦＴ部１０８は、時間領域の信号をＣＰ（Ｃｙｃｌｉｃ  Ｐｒｅｆｉｘ）付加部１０９に出力する。
【０１８７】
ＣＰ付加部１０９は、ＩＦＦＴ部１０８から入力される時間領域の信号にＣＰを付加し、ＣＰ付加後の信号を送信ＲＦ（Ｒａｄｉｏ  Ｆｒｅｑｕｅｎｃｙ）部１１０に出力する。
【０１８８】
送信ＲＦ部７１０は、ＣＰ付加部１０９から入力される信号にＤ／Ａ（Ｄｉｇｉｔａｌ  ｔｏ  Ａｎａｌｏｇ）変換、アップコンバート、増幅等の送信処理を施し、送信処理を施した信号をアンテナ１１１から移動局８００へ無線送信する。
【０１８９】
実施の形態４に係る基地局７００は、常に送信される各アンテナポートに対応するＣＲＳを送信するＯＦＤＭシンボルと、隣接するＯＦＤＭシンボルで、各アンテナポートに対応するＣＳＩ−ＲＳを送信する。そのため、ＯＦＤＭシンボルのＯＮ／ＯＦＦの回数を減らすことができる。さらに、各アンテナポートに対応するＣＳＩ−ＲＳの歪や不要電波の発生による他の各アンテナポートに対応するＣＳＩ−ＲＳへの干渉を削減することができる。
【０１９０】
次に、図２１を参照して、基地局７００と通信する移動局８００の構成について説明する。図２１は、移動局８００の構成を示すブロック図である。図２１に示す移動局８００は、アンテナ２０１と、受信ＲＦ部２０２と、ＣＰ除去部２０３と、ＦＦＴ部２０４と、分離部８０５と、ＣＲＳ受信回線推定部８０６と、ＣＳＩ−ＲＳ受信空間情報推定部８０７と、ＰＤＳＣＨ受信部２０８と、変調部２０９と、ＤＦＴ部２１０と、配置部８１１と、ＩＦＦＴ部２１２と、ＣＰ付加部２１３と、送信ＲＦ部２１４と、回線品質情報生成部８１５と、空間情報生成部８１６と、設定情報受信部８１７とを備える。
【０１９１】
受信ＲＦ部２０２は、受信帯域を変更可能に構成されており、受信信号に応じて、受信帯域を変更する。そして、受信ＲＦ部２０２は、アンテナ２０１を介して受信した受信無線信号（ここでは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）信号）に対して受信無線処理（ダウンコンバート、Ａ／Ｄ（Ａｎａｌｏｇ  ｔｏ  Ｄｉｇｉｔａｌ）変換など）を施し、得られた受信信号をＣＰ除去部２０３に出力する。
【０１９２】
ＣＰ除去部２０３は、受信ＲＦ部２０２から入力される受信信号からＣＰを除去し、ＣＰ除去後の信号をＦＦＴ（Ｆａｓｔ  Ｆｏｕｒｉｅｒ  Ｔｒａｎｓｆｏｒｍ）部２０４に出力する。
【０１９３】
ＦＦＴ部２０４は、ＣＰ除去部２０３から入力される信号にＦＦＴ処理を行い周波数領域の信号を取得する。そして、ＦＦＴ部２０４は、周波数領域の信号を分離部８０５に出力する。
【０１９４】
分離部８０５は、ＦＦＴ部２０４から入力される周波数領域の信号を、各アンテナポートに対応するＣＲＳ、各アンテナポートに対応するＣＳＩ−ＲＳ、及びデータ信号（つまり、ＰＤＳＣＨ）に分離する。そして、分離部８０５は、１つ以上前のサブフレームで受信した設定情報に基づき、各アンテナポートに対応するＣＲＳをＣＲＳ受信部８０６に出力し、各アンテナポートに対応するＣＳＩ−ＲＳをＣＳＩ−ＲＳ受信部８０７に出力し、ＰＤＳＣＨをＰＤＳＣＨ受信部２０８に出力する。さらに、分離部８０５は、設定情報を含む上位レイヤの制御信号を設定情報受信部８１７に出力する。
【０１９５】
ここで、「設定情報」とは、各アンテナポートに対応するＣＳＩ−ＲＳの生成することを示す情報、各アンテナポートに対応するＣＳＩ−ＲＳの送信電力を示す情報、各アンテナポートに対応するＣＳＩ−ＲＳの配置情報などを含む情報」である。ここで、本実施の形態の場合、各アンテナポートに対応するＣＳＩ−ＲＳの配置情報には、各アンテナポートに対応するＣＳＩ−ＲＳに拡散などの処理を施す場合はどの拡散符号を用いるかを示す情報は含まない。しかし、上述したように、「ＣＳＩ−ＲＳを時間方向に拡散する」かしないかについては、明示的（ｅｘｐｌｉｃｉｔ）には基地局７００から通知されず、ＰＣＦＩＣＨによって暗黙的（ｉｍｐｌｉｃｉｔ）基地局７００から通知される。なお、各アンテナポートに対応するＣＳＩ−ＲＳの配置情報は、毎サブフレームで送信されなくてもよい。なお、上位レイヤの制御信号ではなく、下位の物理レイヤの制御信号として送信してもよい。
【０１９６】
ここで、本実施の形態の場合、ＣＳＩ−ＲＳを時間方向に拡散するとは、ＣＳＩ−ＲＳを時間方向に単に複製する場合も含む。
【０１９７】
設定情報受信部８１７は、分離部８０５から入力される制御信号から、各アンテナポートに対応するＣＳＩ−ＲＳの設定情報を読み取り、分離部８０５に出力する。さらに、設定情報受信部８１７は、各アンテナポートに対応するＣＳＩ−ＲＳを受信復調するための逆拡散用符号などの情報をＣＳＩ−ＲＳ受信空間情報推定部８０７に出力する。
【０１９８】
ＣＲＳ受信回線推定部８０６は、分離部８０５から入力される、各アンテナポートに対応するＣＲＳから、基地局７００から自装置に送信された下り回線の推定を行い、その下り回線の回線推定値を回線品質情報生成部８１５に出力する。
【０１９９】
回線品質情報生成部８１５は、ＣＲＳ受信回線推定部８０６から入力された回線推定値に基づき、基地局７００に報告するための回線品質情報を生成する。ここで生成される「回線品質情報」とは、例えば、ＣＱＩ（Ｃｈａｎｎｅｌ  Ｑｕａｌｉｔｙ  Ｉｎｄｉｃａｔｏｒ）である。
【０２００】
ＣＳＩ−ＲＳ受信空間情報推定部８０７は、設定情報受信部８１７から入力される、各アンテナポートに対応するＣＳＩ−ＲＳの設定情報を元に、分離部８０５から入力される各アンテナポートに対応するＣＳＩ−ＲＳから、基地局７００から自装置に送信された下り回線の空間情報推定を行い、空間推定情報を空間情報生成部８１６に入力する。
【０２０１】
空間情報生成部８１６は、ＣＳＩ−ＲＳ受信空間情報推定部８０７から入力された空間推定情報から、基地局７００に報告するための空間情報を生成する。なお。空間情報推定は、自装置が通信を行っている基地局７００のみに対して行うのではなく、ＣｏＭＰの対象となる自装置周辺の他の基地局に対しても行う。
【０２０２】
ＰＤＳＣＨ受信部２０８は、分離部８０５から入力されるＰＤＳＣＨを復調し、受信データを取得する。
【０２０３】
変調部２０９は、入力される送信データ（上りデータ）をチャネル符号化及び変調して、変調後のデータ信号をＤＦＴ（Ｄｉｓｃｒｅｔｅ  Ｆｏｕｒｉｅｒ  Ｔｒａｎｓｆｏｒｍ）部２１０に出力する。
【０２０４】
ＤＦＴ部２１０は、変調部２０９から入力されるデータ信号にＦＦＴ処理を行い周波数領域の信号を取得する。そして、ＤＦＴ部２１０は、周波数領域の信号を配置部８１１に出力する。
【０２０５】
配置部８１１は、回線品質情報生成部８１５か入力される回線品質情報、空間情報生成部８１６から入力される空間情報、及びＤＦＴ部２１０から入力される周波数領域の信号を、上りリソースブロックに配置する。
【０２０６】
ＩＦＦＴ部２１２は、配置部８１１から入力される周波数領域の信号にＩＦＦＴ処理を行い時間領域の信号を取得する。そして、ＩＦＦＴ部２１２は、時間領域の信号をＣＰ付加部２１３に出力する。
【０２０７】
ＣＰ付加部２１３は、ＩＦＦＴ部２１２から入力される時間領域の信号にＣＰを付加し、ＣＰ付加後の信号を送信ＲＦ部２１４に出力する。
【０２０８】
送信ＲＦ部２１４は、ＣＰ付加部２１３から入力される信号にＤ／Ａ（Ｄｉｇｉｔａｌ  ｔｏ  Ａｎａｌｏｇ）変換、アップコンバート、増幅等の送信処理を施し、送信処理を施した信号をアンテナ２０１から基地局３００へ無線送信する。
【０２０９】
実施の形態４に係る移動局８００は、常に送信される各アンテナポートに対応するＣＲＳを送信するＯＦＤＭシンボルと連続するＯＦＤＭシンボルで各アンテナポートに対応するＣＳＩ−ＲＳが配置された基地局７００からの送信信号から、各アンテナポートに対応するＣＳＩ−ＲＳを分離し、その各アンテナポートに対応するＣＳＩ−ＲＳに基づき、下り回線の空間情報推定を行う。そのため、歪のない各アンテナポートに対応するＣＳＩ−ＲＳに基づき、基地局７００、及びＣｏＭＰの対象となる周辺の基地局に報告する空間情報を生成することができる。
【０２１０】
本実施の形態によれば、ＰＤＣＣＨとの信号の時間的な連続性を利用して、送信信号電力のＯＮ／ＯＦＦを削減することができる。
【０２１１】
また、本実施の形態によれば、各アンテナポートの参照信号を別々のアンテナ、別々のアンプで送る場合でも、各アンテナポートに対応するＣＳＩ−ＲＳを時間方向に複製し、各アンテナポートのＣＲＳが配置されるＯＦＤＭシンボルの間又は各アンテナポートのＣＲＳが配置されるＯＦＤＭシンボルに連続するＯＦＤＭシンボルに配置することで、各アンプのＯＮ／ＯＦＦの回数を減少させることができる。
【０２１２】
また、本実施の形態によれば、ＣＳＩ−ＲＳを拡散し直交符号を乗算することで、複数のＣＳＩ−ＲＳを符号多重することができる。したがって、ＣＳＩ−ＲＳに必要なリソースを拡散前と同じに維持できる。また、拡散後のＣＳＩ−ＲＳの全てをＣＲＳと隣接するＯＦＤＭシンボルに配置できない場合でも、逆拡散により信号電力変動の影響を軽減することができる。
【０２１３】
上記各実施の形態では、ＣＳＩ−ＲＳの配置方法について説明したが、ＣＳＩ−ＲＳに限らない。上記各実施の形態では、ＡＰの歪による劣化が顕著な信号（参照信号、データ信号及び制御信号など）にも適用することができる。また、ＣＳＩ−ＲＳを配置するときに隣接するシンボルに含まれる信号としてＣＲＳやＰＤＣＣＨなどを例に示したが、その他の信号が含まれているシンボルに隣接させても、上記と同様の効果を奏する。
【０２１４】
また、上記各実施の形態の説明に用いた各機能ブロックは、典型的には集積回路であるLSIとして実現される。これらは個別に１チップ化されてもよいし、一部または全てを含むように１チップ化されてもよい。ここでは、LSIとしたが、集積度の違いにより、IC、システムLSI、スーパーLSI、ウルトラLSIと呼称されることもある。
【０２１５】
また、集積回路化の手法はLSIに限るものではなく、専用回路または汎用プロセッサで実現してもよい。LSI製造後に、プログラムすることが可能なFPGA（Field Programmable Gate Array）や、LSI内部の回路セルの接続や設定を再構成可能なリコンフィギュラブル・プロセッサーを利用してもよい。
【０２１６】
さらには、半導体技術の進歩または派生する別技術によりLSIに置き換わる集積回路化の技術が登場すれば、当然、その技術を用いて機能ブロックの集積化を行ってもよい。バイオ技術の適応等が可能性としてありえる。
【０２１７】
なお、上記実施の形態ではアンテナとして説明したが、アンテナポートでも同様に適用できる。アンテナポート（antenna port）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばLTEにおいては、アンテナポートが何本の物理アンテナから構成されるかは規定されず、基地局が異なるReference signalを送信できる最小単位として規定されている。また、アンテナポートはPrecoding vectorの重み付けを乗算する最小単位として規定されることもある。
【０２１８】
本発明を詳細にまた特定の実施態様を参照して説明したが、本発明の精神と範囲を逸脱することなく様々な変更や修正を加えることができることは当業者にとって明らかである。
【０２１９】
本出願は、２０１０年４月５日出願の日本特許出願（特願２０１０−０８７１９７）、に基づくものであり、その内容はここに参照として取り込まれる。
【産業上の利用可能性】
【０２２０】
本発明に係る無線通信装置、及び無線通信方法は、ＣＳＩ−ＲＳの歪み、及び他のＣＳＩ−ＲＳへの干渉を削減することができるという効果を有し、通信装置等として有用である。
【符号の説明】
【０２２１】
１００、３００、５００、７００  基地局
１０１、３０１、５０１、７０１  設定部
１０５、３０５、５０５、７０５  ＣＳＩ−ＲＳ生成部
１０７、３０７、５０７、７０７  配置部
１１０、３１０、５１０、７１０  送信ＲＦ部
２００、４００、６００、８００  移動局
２０５、４０５、６０５、８０５  分離部
２０７、４０７、６０７、８０７  ＣＳＩ−ＲＳ受信空間情報推定部
２１６、４１６、６１６、８１６  空間情報生成部
２１７、４１７、６１７、８１７  設定情報受信部
【図１】
2011125300.tif 000003
【図２】
2011125300.tif 000004
【図３】
2011125300.tif 000005
【図４】
2011125300.tif 000006
【図５】
2011125300.tif 000007
【図６】
2011125300.tif 000008
【図７】
2011125300.tif 000009
【図８】
2011125300.tif 000010
【図９】
2011125300.tif 000011
【図１０】
2011125300.tif 000012
【図１１】
2011125300.tif 000013
【図１２】
2011125300.tif 000014
【図１３】
2011125300.tif 000015
【図１４】
2011125300.tif 000016
【図１５】
2011125300.tif 000017
【図１６】
2011125300.tif 000018
【図１７】
2011125300.tif 000019
【図１８】
2011125300.tif 000020
【図１９】
2011125300.tif 000021
【図２０】
2011125300.tif 000022
【図２１】
2011125300.tif 000023
【図２２】
2011125300.tif 000024
【図２３】
2011125300.tif 000025
【図２４】
2011125300.tif 000026
【図２５】
2011125300.tif 000027
【図２６】
2011125300.tif 000028
【図２７】
2011125300.tif 000029
【図２８】
2011125300.tif 000030
【国際調査報告】
2011125300.tif 000031
2011125300.tif 000032
2011125300.tif 000033
2011125300.tif 000034